(57)【要約】  ワイヤレスデバイスに周波数ホッピングデバイスとしての資格を与えるための方法およびシステムが開示される。いくつかの態様では、アクセスポイント（ＡＰ）は、ワイヤレスデバイスのための周波数ホッピングパターンを決定し、次いで、周波数ホッピングパターンに基づいてワイヤレスデバイスに一意のリソースユニットのシーケンスを割り振り得る。一意のリソースユニットの各々は周波数サブキャリアの異なるセットを含む。ＡＰは、ワイヤレスデバイスから、一意のリソースユニットの割り振られたシーケンス上での一連のアップリンク直交周波数分割多元接続（ＯＦＤＭＡ）送信を受信し得る。【選択図】      図６Ａ
2019516303.tif 000002
【特許請求の範囲】
【請求項１】
ワイヤレスデバイスに周波数ホッピングデバイスとしての資格を与えるための方法であって、
前記ワイヤレスデバイスのための周波数ホッピングパターンを決定することと、
前記周波数ホッピングパターンに基づいて前記ワイヤレスデバイスに一意のリソースユニットのシーケンスを割り振ることと、前記一意のリソースユニットの各々が周波数サブキャリアの異なるセットを含む、
前記ワイヤレスデバイスから、シーケンス期間中に、一意のリソースユニットの前記割り振られたシーケンス上での一連のアップリンク直交周波数分割多元接続（ＯＦＤＭＡ）送信を受信することと
を備える、方法。
【請求項２】
前記割り振ることが、前記ワイヤレスデバイスに、少なくとも前記シーケンス期間の間、前記一意のリソースユニット間で周波数ホッピングさせる、請求項１に記載の方法。
【請求項３】
前記一意のリソースユニットの各々が、一連の送信機会（ＴＸＯＰ）のうちの対応する１つに関連付けられる、請求項１に記載の方法。
【請求項４】
前記ワイヤレスデバイスに、前記ワイヤレスデバイスに一意のリソースユニットの前記シーケンスを割り振り、前記ワイヤレスデバイスが、指定された数を超える数の前記一意のリソースユニット間で連続的に周波数ホッピングするべきであることを示す、トリガフレームを送信すること
をさらに備える、請求項１に記載の方法。
【請求項５】
前記トリガフレームは、前記ワイヤレスデバイスが、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、請求項４に記載の方法。
【請求項６】
前記滞留時間が４００ミリ秒であり、前記時間期間が１５ミリ秒であり、前記シーケンスが少なくとも１５個の一意のリソースユニットを含む、請求項５に記載の方法。
【請求項７】
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、請求項４に記載の方法。
【請求項８】
前記割り振ることが、
複数のリソースユニットの各々に、０に等しいカウント値を割り当てることと、
第１の送信機会（ＴＸＯＰ）のために前記ワイヤレスデバイスに前記複数のリソースユニットのうちの第１のリソースユニットを割り振ることと、
前記第１のリソースユニットの前記カウント値を、前記ワイヤレスデバイスへのそれの割振りに基づいて、最大値にリセットすることと、
次のＴＸＯＰ中に前記第１のリソースユニットの前記カウント値を１だけ減分することと
を備える、請求項１に記載の方法。
【請求項９】
前記カウント値の前記最大値が、前記ワイヤレスデバイスに周波数ホッピングデバイスとしての資格を与えることに関連付けられた連続周波数ホップの数に基づく、請求項８に記載の方法。
【請求項１０】
アクセスポイント（ＡＰ）であって、
１つまたは複数のプロセッサと、
命令を記憶するメモリと
を備え、前記命令は、前記１つまたは複数のプロセッサによって実行されたとき、前記ＡＰに、
ワイヤレスデバイスのための周波数ホッピングパターンを決定することと、
前記周波数ホッピングパターンに基づいて前記ワイヤレスデバイスに一意のリソースユニットのシーケンスを割り振ることと、前記一意のリソースユニットの各々が周波数サブキャリアの異なるセットを含む、
前記ワイヤレスデバイスから、シーケンス期間中に、一意のリソースユニットの前記割り振られたシーケンス上での一連のアップリンク直交周波数分割多元接続（ＯＦＤＭＡ）送信を受信することと
によって、前記ワイヤレスデバイスに周波数ホッピングデバイスとしての資格を与えることを行わせる、
ＡＰ。
【請求項１１】
前記割り振ることが、前記ワイヤレスデバイスに、少なくとも前記シーケンス期間の間、前記一意のリソースユニット間で周波数ホッピングさせる、請求項１０に記載のＡＰ。
【請求項１２】
前記一意のリソースユニットの各々が、一連の送信機会（ＴＸＯＰ）のうちの対応する１つに関連付けられる、請求項１０に記載のＡＰ。
【請求項１３】
前記命令の実行は、前記ＡＰに、
前記ワイヤレスデバイスに、前記ワイヤレスデバイスに一意のリソースユニットの前記シーケンスを割り振り、前記ワイヤレスデバイスが、指定された数を超える数の前記一意のリソースユニット間で連続的に周波数ホッピングするべきであることを示す、トリガフレームを送信すること
をさらに行わせる、請求項１０に記載のＡＰ。
【請求項１４】
前記トリガフレームは、前記ワイヤレスデバイスが、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、請求項１３に記載のＡＰ。
【請求項１５】
前記滞留時間が４００ミリ秒であり、前記時間期間が１５ミリ秒であり、前記シーケンスが少なくとも１５個の一意のリソースユニットを含む、請求項１４に記載のＡＰ。
【請求項１６】
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、請求項１３に記載のＡＰ。
【請求項１７】
一意のリソースユニットの前記シーケンスを割り振るための前記命令の実行が、前記ＡＰに、
複数のリソースユニットの各々に、０に等しいカウント値を割り当てることと、
第１の送信機会（ＴＸＯＰ）のために前記ワイヤレスデバイスに前記複数のリソースユニットのうちの第１のリソースユニットを割り振ることと、
前記第１のリソースユニットの前記カウント値を、前記ワイヤレスデバイスへのそれの割振りに基づいて、最大値にリセットすることと、
次のＴＸＯＰ中に前記第１のリソースユニットの前記カウント値を１だけ減分することと
を行わせる、請求項１０に記載のＡＰ。
【請求項１８】
命令を備える非一時的コンピュータ可読媒体であって、前記命令が、アクセスポイント（ＡＰ）の１つまたは複数のプロセッサによって実行されたとき、前記ＡＰに、
ワイヤレスデバイスのための周波数ホッピングパターンを決定することと、
前記周波数ホッピングパターンに基づいて前記ワイヤレスデバイスに一意のリソースユニットのシーケンスを割り振ることと、前記一意のリソースユニットの各々が周波数サブキャリアの異なるセットを含む、
前記ワイヤレスデバイスから、シーケンス期間中に、一意のリソースユニットの前記割り振られたシーケンス上での一連のアップリンク直交周波数分割多元接続（ＯＦＤＭＡ）送信を受信することと
を備える動作を実施させる、非一時的コンピュータ可読媒体。
【請求項１９】
前記割り振ることが、前記ワイヤレスデバイスに、少なくとも前記シーケンス期間の間、前記一意のリソースユニット間で周波数ホッピングさせる、請求項１８に記載の非一時的コンピュータ可読媒体。
【請求項２０】
前記命令の実行は、前記ＡＰに、
前記ワイヤレスデバイスに、前記ワイヤレスデバイスに一意のリソースユニットの前記シーケンスを割り振り、前記ワイヤレスデバイスが、指定された数を超える数の前記一意のリソースユニット間で連続的に周波数ホッピングするべきであることを示す、トリガフレームを送信すること
をさらに備える動作を実施させる、請求項１８に記載の非一時的コンピュータ可読媒体。
【請求項２１】
前記トリガフレームは、前記ワイヤレスデバイスが、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、請求項２０に記載の非一時的コンピュータ可読媒体。
【請求項２２】
前記滞留時間が４００ミリ秒であり、前記時間期間が１５ミリ秒であり、前記シーケンスが少なくとも１５個の一意のリソースユニットを含む、請求項２１に記載の非一時的コンピュータ可読媒体。
【請求項２３】
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、請求項２０に記載の非一時的コンピュータ可読媒体。
【請求項２４】
一意のリソースユニットの前記シーケンスを割り振るための前記命令の実行が、前記ＡＰに、
複数のリソースユニットの各々に、０に等しいカウント値を割り当てることと、
第１の送信機会（ＴＸＯＰ）のために前記ワイヤレスデバイスに前記複数のリソースユニットのうちの第１のリソースユニットを割り振ることと、
前記第１のリソースユニットの前記カウント値を、前記ワイヤレスデバイスへのそれの割振りに基づいて、最大値にリセットすることと、
次のＴＸＯＰ中に前記第１のリソースユニットの前記カウント値を１だけ減分することと
をさらに備える動作を実施させる、請求項１８に記載の非一時的コンピュータ可読媒体。
【請求項２５】
ワイヤレス局であって、
１つまたは複数のプロセッサと、
命令を記憶するメモリと
を備え、前記命令は、前記１つまたは複数のプロセッサによって実行されたとき、前記ワイヤレス局に、
周波数ホッピングパターンを受信することと、
前記周波数ホッピングパターンに基づいて一意のリソースユニットのシーケンスの割振りを受信することと、前記一意のリソースユニットの各々が周波数サブキャリアの異なるセットを含む、
シーケンス期間中に、一意のリソースユニットの前記割り振られたシーケンス上での一連の直交周波数分割多元接続（ＯＦＤＭＡ）データ送信を送信することと
によって、周波数ホッピングデバイスとしての資格を得ることを行わせる、
ワイヤレス局。
【請求項２６】
前記命令の実行が、前記ワイヤレス局に、
前記ワイヤレス局に一意のリソースユニットの前記シーケンスを割り振り、前記ワイヤレス局が、指定された数を超える数の前記一意のリソースユニット間で連続的に周波数ホッピングするべきであることを示す、トリガフレームを受信すること
をさらに行わせる、請求項２５に記載のワイヤレス局。
【請求項２７】
前記トリガフレームは、前記ワイヤレス局が、持続時間未満の間、前記一意のリソースユニットの各々上に滞留するべきであるという指示と、前記一意のリソースユニットにおける累積滞留時間が、一意のリソースユニットの前記シーケンスの持続時間よりも大きい時間期間以下であるべきであるという指示とのうちの１つを含んでいる、請求項２６に記載のワイヤレス局。
【請求項２８】
前記滞留時間が４００ミリ秒であり、前記時間期間が１５ミリ秒であり、前記シーケンスが少なくとも１５個の一意のリソースユニットを含む、請求項２７に記載のワイヤレス局。
【請求項２９】
前記トリガフレームが、ＯＦＤＭＡ通信を使用してアップリンクデータを送信するために、複数のワイヤレスデバイスの各々のための一意の周波数ホッピングパターンを示す周波数ホッピングスケジュールを含んでいる、請求項２６に記載のワイヤレス局。
【請求項３０】
前記一意のリソースユニットの各々が、一連の送信機会（ＴＸＯＰ）のうちの対応する１つに関連付けられる、請求項２５に記載のワイヤレス局。
【発明の詳細な説明】
【技術分野】
【０００１】
[0001]本開示は、一般にワイヤレスネットワークに関し、詳細には、ワイヤレスローカルエリアネットワークにおいて周波数ホッピング技法を採用することに関する。
【背景技術】
【０００２】
[0002]ワイヤレスローカルエリアネットワーク（ＷＬＡＮ）は、いくつかのワイヤレスデバイスまたは局（ＳＴＡ）による使用のための共有ワイヤレス媒体を与える１つまたは複数のアクセスポイント（ＡＰ）によって形成され得る。基本サービスセット（ＢＳＳ）に対応し得る各ＡＰは、ＡＰのワイヤレス範囲内のＳＴＡが、ＷＬＡＮとの通信リンクを確立し、維持することを可能にするために、ビーコンフレームを周期的にブロードキャストする。ＩＥＥＥ８０２．１１規格ファミリーに従って動作するワイヤレスネットワークはＷｉ−Ｆｉ（登録商標）ネットワークと呼ばれることがあり、ＩＥＥＥ８０２．１１規格ファミリーによって指定された通信プロトコルに従って信号を送信するワイヤレスデバイスはＷｉ−Ｆｉデバイスと呼ばれることがある。
【０００３】
[0003]Ｗｉ−Ｆｉデバイスのワイヤレス範囲は、それの送信電力レベルに関係し得る。たとえば、より高い電力レベルにおいて送信されたワイヤレス信号は、一般に、より低い電力レベルにおいて送信されたワイヤレス信号よりも遠くに伝わる。多くの政府規制が、ワイヤレスデバイスの送信電力に対する電力スペクトル密度限界を課する。これらの電力スペクトル密度限界は、Ｗｉ−Ｆｉデバイスの範囲を望ましくなく制限し得る。
【発明の概要】
【０００４】
[0004]本開示のシステム、方法およびデバイスは、それぞれいくつかの発明的態様を有し、それらのうちの単一の態様が、本明細書で開示される望ましい属性を単独で担当するとは限らない。
【０００５】
[0005]本開示で説明される主題の１つの発明的態様は、政府規制によって課される電力スペクトル密度限界に違反することなしにＷｉ−Ｆｉデバイスのワイヤレス範囲を増加させるために、Ｗｉ−Ｆｉネットワークにおいて実装され得る。いくつかの実装形態では、ワイヤレスデバイスは、周波数ホッピングデバイスとしての資格を得るためにＯＦＤＭＡ送信中に周波数ホッピング技法を採用し得る。多くの政府規制が、周波数ホッピングデバイスに対して、Ｗｉ−Ｆｉデバイスに対してよりも厳しくない電力スペクトル密度限界を課するので、ワイヤレスデバイスにＯＦＤＭＡ送信中に周波数ホッピングデバイスとしての資格を与えることは、ワイヤレスデバイスが周波数ホッピングデバイスに関連付けられたより高い電力レベルにおいてデータを送信することを可能にし得る。このようにして、本開示の態様は、政府規制によって課される電力スペクトル密度限界に違反することなしにＷｉ−Ｆｉデバイスのワイヤレス範囲を増加させ得る。
【０００６】
[0006]いくつかの実装形態では、アクセスポイント（ＡＰ）は、１つまたは複数のプロセッサと命令を記憶するメモリとを含むことができる。命令は、本ＡＰに、ワイヤレスデバイスのための周波数ホッピングパターンを決定することと、周波数ホッピングパターンに基づいてワイヤレスデバイスに一意のリソースユニットのシーケンスを割り振ることと、一意のリソースユニットの各々が周波数サブキャリアの異なるセットを含む、ワイヤレスデバイスから、シーケンス期間中に、一意のリソースユニットの割り振られたシーケンス上での一連のアップリンク直交周波数分割多元接続（ＯＦＤＭＡ）送信を受信することとによって、ワイヤレスデバイスに周波数ホッピングデバイスとしての資格を与えることを行わせるために、１つまたは複数のプロセッサによって実行され得る。
【０００７】
[0007]本開示で説明される主題の別の発明的態様は、ワイヤレスデバイスに周波数ホッピングデバイスとしての資格を与えるための方法として実装され得る。本方法は、ワイヤレスデバイスのための周波数ホッピングパターンを決定することと、周波数ホッピングパターンに基づいてワイヤレスデバイスに一意のリソースユニットのシーケンスを割り振ることと、一意のリソースユニットの各々が周波数サブキャリアの異なるセットを含む、ワイヤレスデバイスから、シーケンス期間中に、一意のリソースユニットの割り振られたシーケンス上での一連のアップリンク直交周波数分割多元接続（ＯＦＤＭＡ）送信を受信することとを含むことができる。
【０００８】
[0008]本開示で説明される主題の別の発明的態様は、非一時的コンピュータ可読媒体において実装され得る。本非一時的コンピュータ可読媒体は、ＡＰの１つまたは複数のプロセッサによって実行されたとき、ＡＰに、ワイヤレスデバイスのための周波数ホッピングパターンを決定することと、周波数ホッピングパターンに基づいてワイヤレスデバイスに一意のリソースユニットのシーケンスを割り振ることと、一意のリソースユニットの各々が周波数サブキャリアの異なるセットを含む、ワイヤレスデバイスから、シーケンス期間中に、一意のリソースユニットの割り振られたシーケンス上での一連のアップリンク直交周波数分割多元接続（ＯＦＤＭＡ）送信を受信することとを含む動作を実施することによって、ワイヤレスデバイスに周波数ホッピングデバイスとしての資格を与えることを行わせる、命令を備えることができる。
【０００９】
[0009]本開示で説明される主題の別の発明的態様は、装置において実装され得る。本装置は、ワイヤレスデバイスのための周波数ホッピングパターンを決定するための手段と、周波数ホッピングパターンに基づいてワイヤレスデバイスに一意のリソースユニットのシーケンスを割り振るための手段と、一意のリソースユニットの各々が周波数サブキャリアの異なるセットを含む、ワイヤレスデバイスから、シーケンス期間中に、一意のリソースユニットの割り振られたシーケンス上での一連のアップリンク直交周波数分割多元接続（ＯＦＤＭＡ）送信を受信するための手段とを含むことができる。
【００１０】
[0010]本開示で説明される主題の別の発明的態様は、ワイヤレス局において実装され得る。本ワイヤレス局は、１つまたは複数のプロセッサとメモリとを含むことができる。メモリは、１つまたは複数のプロセッサによって実行されたとき、本ワイヤレス局に、周波数ホッピングパターンを受信することと、周波数ホッピングパターンに基づいて一意のリソースユニットのシーケンスの割振りを受信することと、一意のリソースユニットの各々が周波数サブキャリアの異なるセットを含む、シーケンス期間中に、一意のリソースユニットの割り振られたシーケンス上での一連の直交周波数分割多元接続（ＯＦＤＭＡ）データ送信を送信することとによって、周波数ホッピングデバイスとしての資格を得ることを行わせる、命令を記憶することができる。いくつかの態様では、本ワイヤレス局は、本ワイヤレス局に一意のリソースユニットのシーケンスを割り振り、本ワイヤレス局が、指定された数を超える数の一意のリソースユニット間で連続的に周波数ホッピングするべきであることを示す、トリガフレームを受信することができる。トリガフレームはまた、本ワイヤレス局が、持続時間未満の間、一意のリソースユニットの各々上に滞留するべきであるという指示と、一意のリソースユニットにおける累積滞留時間が、一意のリソースユニットのシーケンスの持続時間よりも大きい時間期間以下であるべきであるという指示とのうちの１つを含んでいることがある。
【００１１】
[0011]本開示で説明される主題の１つまたは複数の実装形態の詳細が、添付の図面および以下の説明に記載されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００１２】
【図１】[0012]例示的なワイヤレスシステムのブロック図。
【図２】[0013]例示的なワイヤレス局のブロック図。
【図３】[0014]例示的なアクセスポイントのブロック図。
【図４】[0015]狭帯域送信のための例示的なサブキャリア割振り図。
【図５】[0016]アップリンク送信のためのリソースユニットの例示的な割振りを示すシーケンス図。
【図６Ａ】[0017]周波数ホッピングに基づくリソースユニットの例示的な割振りを示すシーケンス図。
【図６Ｂ】[0018]周波数ホッピングに基づくリソースユニットの別の例示的な割振りを示すシーケンス図。
【図７Ａ】[0019]ＯＦＤＭＡ送信中に周波数ホッピングのために使用され得るリソースユニットの例示的なシーケンスを示す図。
【図７Ｂ】[0020]図７Ａのリソースユニットシーケンスのうちの１つの例示的な構成を示す例示的なテーブルを示す図。
【図８】[0021]例示的なトリガフレームを示す図。
【図９Ａ】[0022]例示的な共通情報フィールドを示す図。
【図９Ｂ】[0023]例示的なユーザごと（Per User）情報フィールドを示す図。
【図１０】[0024]ワイヤレスデバイスに周波数ホッピングデバイスとしての資格を与えるための例示的な動作を示す例示的なフローチャート。
【図１１】[0025]ワイヤレスデバイスにリソースユニットを割り振るための例示的な動作を示す例示的なフローチャート。
【図１２】[0026]周波数ホッピングスケジュールに基づいて割り振られたリソースユニットを使用してデータを送信するワイヤレス局のための例示的な動作を示す例示的なフローチャート。
【発明を実施するための形態】
【００１３】
[0027]同様の参照番号は、図面全体にわたって対応する部分を指す。
【００１４】
[0028]以下の説明は、本開示の発明的態様について説明する目的で、いくつかの実装形態を対象とする。ただし、本明細書の教示が多数の異なる方法で適用され得ることを、当業者は容易に認識されよう。説明される実装形態は、３Ｇ、４Ｇ、または５Ｇ、あるいはさらなるそれの実装形態技術を利用するシステムなど、ワイヤレス、セルラー、またはモノのインターネット（ＩＯＴ）ネットワーク内で通信するために使用される、ＩＥＥＥ１６．１１規格のいずれか、またはＩＥＥＥ８０２．１１規格のいずれか、Ｂｌｕｅｔｏｏｔｈ（登録商標）規格、符号分割多元接続（ＣＤＭＡ）、周波数分割多元接続（ＦＤＭＡ）、時分割多元接続（ＴＤＭＡ）、モバイル通信用グローバルシステム（ＧＳＭ（登録商標）：Global System for Mobile communications）、ＧＳＭ／汎用パケット無線サービス（ＧＰＲＳ：General Packet Radio Service）、拡張データＧＳＭ環境（ＥＤＧＥ：Enhanced Data GSM（登録商標） Environment）、地上基盤無線（ＴＥＴＲＡ：Terrestrial Trunked Radio）、広帯域ＣＤＭＡ（Ｗ−ＣＤＭＡ（登録商標））、エボリューションデータオプティマイズド（ＥＶ−ＤＯ：Evolution Data Optimized）、１ｘＥＶ−ＤＯ、ＥＶ−ＤＯ  ＲｅｖＡ、ＥＶ−ＤＯ  ＲｅｖＢ、高速パケットアクセス（ＨＳＰＡ：High Speed Packet Access）、高速ダウンリンクパケットアクセス（ＨＳＤＰＡ：High Speed Downlink Packet Access）、高速アップリンクパケットアクセス（ＨＳＵＰＡ：High Speed Uplink Packet Access）、発展型高速パケットアクセス（ＨＳＰＡ＋：Evolved High Speed Packet Access）、ロングタームエボリューション（ＬＴＥ（登録商標）：Long Term Evolution）、ＡＭＰＳ、あるいは他の知られている信号に従ってＲＦ信号を送信および受信することが可能である任意のデバイス、システム、またはネットワークにおいて実装され得る。
【００１５】
[0029]ワイヤレスデバイスの範囲は、それの送信電力および送信帯域幅に少なくとも部分的に基づき得る。たとえば、より高い電力レベルにおいて送信されたワイヤレス信号は、一般に、より低い電力レベルにおいて送信されたワイヤレス信号よりも遠くに伝わり、比較的広い帯域幅を使用して送信されたワイヤレス信号は、一般に、比較的狭い帯域幅を使用して送信されたワイヤレス信号よりも遠くに伝わる。ワイヤレスデバイスの送信電力に対する電力スペクトル密度限界を課する政府規制は、ワイヤレスデバイスの範囲を望ましくなく制限し得る。世界の多くの領域では、周波数ホッピングデバイスに課される電力スペクトル密度限界は、Ｗｉ−Ｆｉデバイスに課される電力スペクトル密度限界よりも厳しくない。たとえば、欧州通信規格協会（ＥＴＳＩ：European Telecommunications Standards Institute）は、直交周波数分割多元接続（ＯＦＤＭＡ）通信を使用して２ＭＨｚリソースユニット（ＲＵ）上でデータを送信するＷｉ−Ｆｉデバイスに対して１４ｄＢｍ電力限界を課し、２ＭＨｚチャネル上でデータを送信する周波数ホッピングデバイスに対して２０ｄＢｍ電力限界を課する。言い換えれば、周波数ホッピングデバイスは２０ｄＢｍまでの電力レベルにおいて２ＭＨｚ帯域幅を使用してデータを送信し得、２ＭＨｚ帯域幅を使用してデータを送信するＷｉ−Ｆｉデバイスは１４ｄＢｍに制限される。
【００１６】
[0030]本開示で説明される主題の実装形態は、Ｗｉ−Ｆｉデバイスに周波数ホッピングデバイスとしての資格を与えることによって、Ｗｉ−Ｆｉデバイスがより高い電力レベルにおいてワイヤレス信号を送信することを可能にし得る。より詳細には、本開示の態様によれば、Ｗｉ−Ｆｉデバイスは、ＯＦＤＭＡ送信中に周波数ホッピング技法を使用することによって周波数ホッピングデバイスとしての資格を得ることができる。いくつかの実装形態では、アクセスポイント（ＡＰ）は、周波数ホッピングデバイスに課される適用可能な電力スペクトル密度限界に準拠する周波数ホッピングスケジュールを決定し、次いで、ＡＰに関連付けられたいくつかのＷｉ−Ｆｉデバイスに、決定された周波数ホッピングスケジュールを告知するかまたは場合によっては示すことができる。ＡＰはまた、決定された周波数ホッピングスケジュールに基づいて、アップリンク（ＵＬ）データ送信のためにいくつかのＷｉ−Ｆｉデバイスにリソースユニット（ＲＵ）を割り振ることができる。Ｗｉ−Ｆｉデバイスは、決定された周波数ホッピングスケジュールおよびＲＵの割振りを受信し、その後、決定された周波数ホッピングスケジュールおよび割り振られたＲＵに基づいてＵＬデータを送信することができる。
【００１７】
[0031]本明細書で使用される「関連付けられたＡＰ」という用語は、（ＡＰと所与のＳＴＡとの間に確立された通信チャネルまたはリンクがあるなど、）所与のＳＴＡが関連付けられたＡＰを指す。「関連付けられていないＡＰ」という用語は、（ＡＰと所与のＳＴＡとの間に確立された通信チャネルまたはリンクがなく、したがって、ＡＰと所与のＳＴＡとは、データフレームをまだ交換していないことがあるなど、）所与のＳＴＡが関連付けられていないＡＰを指す。「関連付けられたＳＴＡ」という用語は所与のＡＰに関連付けられたＳＴＡを指し、「関連付けられていないＳＴＡ」という用語は所与のＡＰに関連付けられていないＳＴＡを指す。さらに、「狭帯域」という用語は、（２ＭＨｚ帯域幅、４ＭＨｚ帯域幅、８ＭＨｚ帯域幅、および１６ＭＨｚ帯域幅などの）２０ＭＨｚ未満である帯域幅を指し得、「広帯域」という用語は、（１次２０ＭＨｚチャネル、２次２０ＭＨｚチャネル、２次４０ＭＨｚチャネル、２次８０ＭＨｚチャネルなどの）２０ＭＨｚ以上である帯域幅を指し得る。
【００１８】
[0032]図１は、例示的なワイヤレスシステム１００のブロック図を示す。ワイヤレスシステム１００は、４つのワイヤレス局ＳＴＡ１〜ＳＴＡ４と、ワイヤレスアクセスポイント（ＡＰ）１１０と、ワイヤレスローカルエリアネットワーク（ＷＬＡＮ）１２０とを含むように示されている。ＷＬＡＮ１２０は、ＩＥＥＥ８０２．１１規格ファミリーに従って（または他の好適なワイヤレスプロトコルに従って）動作し得る複数のＷｉ−Ｆｉアクセスポイント（ＡＰ）によって形成され得る。したがって、簡単のために、ただ１つのＡＰ１１０が図１に示されているが、ＷＬＡＮ１２０は、ＡＰ１１０など、任意の数のアクセスポイントによって形成され得ることを理解されたい。ＡＰ１１０は、たとえば、アクセスポイントの製造業者によって、その中にプログラムされる一意のＭＡＣアドレスを割り当てられる。同様に、局ＳＴＡ１〜ＳＴＡ４の各々も、一意のＭＡＣアドレスを割り当てられる。いくつかの態様では、ＡＰ１１０は、たとえば、局ＳＴＡ１〜ＳＴＡ４の各々に関連付け識別情報（ＡＩＤ）値を割り当て、したがって、ＡＰ１１０は、それらの割り当てられたＡＩＤ値を使用して局ＳＴＡ１〜ＳＴＡ４を識別し得る。
【００１９】
[0033]いくつかの実装形態では、ＷＬＡＮ１２０は、ＡＰ１１０と局ＳＴＡ１〜ＳＴＡ４との間の多入力多出力（ＭＩＭＯ）通信を可能にし得る。ＭＩＭＯ通信は、シングルユーザＭＩＭＯ（ＳＵ−ＭＩＭＯ）とマルチユーザＭＩＭＯ（ＭＵ−ＭＩＭＯ）通信とを含み得る。いくつかの態様では、ＷＬＡＮ１２０は、たとえば、直交周波数分割多元接続（ＯＦＤＭＡ）機構など、複数チャネルアクセス機構を利用し得る。ＷＬＡＮ１２０はインフラストラクチャ基本サービスセット（ＢＳＳ）として図１に示されているが、他の実装形態では、ＷＬＡＮ１２０は、独立基本サービスセット（ＩＢＳＳ）、アドホックネットワーク、または（Ｗｉ−Ｆｉ  Ｄｉｒｅｃｔ（登録商標）プロトコルに従って動作するなどの）ピアツーピア（Ｐ２Ｐ）ネットワークであり得る。
【００２０】
[0034]局ＳＴＡ１〜ＳＴＡ４の各々は、たとえば、セルフォン、携帯情報端末（ＰＤＡ）、タブレットデバイス、ラップトップコンピュータなどを含む、任意の好適なワイヤレスデバイスであり得る。局ＳＴＡ１〜ＳＴＡ４の各々は、ユーザ機器（ＵＥ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。いくつかの実装形態では、局ＳＴＡ１〜ＳＴＡ４の各々は、１つまたは複数のトランシーバと、１つまたは複数の処理リソースと、１つまたは複数のメモリリソースと、（バッテリーなどの）電源とを含み得る。メモリリソースは、図１０〜図１２に関して以下で説明される動作を実施するための命令を記憶する（ＥＰＲＯＭ、ＥＥＰＲＯＭ（登録商標）、フラッシュメモリ、ハードドライブなど、１つまたは複数の不揮発性メモリ要素などの）非一時的コンピュータ可読媒体を含み得る。
【００２１】
[0035]ＡＰ１１０は、１つまたは複数のワイヤレスデバイスが、たとえば、Ｗｉ−Ｆｉ、Ｂｌｕｅｔｏｏｔｈ、およびセルラー通信などのワイヤレス通信を使用して、ＡＰ１１０を介して（ローカルエリアネットワーク（ＬＡＮ）、ワイドエリアネットワーク（ＷＡＮ）、メトロポリタンエリアネットワーク（ＭＡＮ）、またはインターネットなどの）ネットワークに接続することを可能にする任意の好適なデバイスであり得る。いくつかの実装形態では、ＡＰ１１０は、１つまたは複数のトランシーバと、１つまたは複数の処理リソースと、１つまたは複数のメモリリソースと、電源とを含み得る。メモリリソースは、図１０〜図１２に関して以下で説明される動作を実施するための命令を記憶する（ＥＰＲＯＭ、ＥＥＰＲＯＭ、フラッシュメモリ、ハードドライブなど、１つまたは複数の不揮発性メモリ要素などの）非一時的コンピュータ可読媒体を含み得る。
【００２２】
[0036]局ＳＴＡ１〜ＳＴＡ４およびＡＰ１１０では、１つまたは複数のトランシーバは、Ｗｉ−Ｆｉトランシーバ、Ｂｌｕｅｔｏｏｔｈトランシーバ、セルラートランシーバ、ならびにワイヤレス通信信号を送信および受信するための任意の他の好適な無線周波数（ＲＦ）トランシーバ（簡単のために図示せず）を含み得る。各トランシーバは、別個の動作周波数帯域において、別個の通信プロトコルを使用して、またはその両方で他のワイヤレスデバイスと通信し得る。たとえば、Ｗｉ−Ｆｉトランシーバは、ＩＥＥＥ８０２．１１規格に従って、９００ＭＨｚ周波数帯域、２．４ＧＨｚ周波数帯域、５ＧＨｚ周波数帯域、および６０ＭＨｚ周波数帯域内で通信し得る。Ｂｌｕｅｔｏｏｔｈトランシーバは、Ｂｌｕｅｔｏｏｔｈ  Ｓｐｅｃｉａｌ  Ｉｎｔｅｒｅｓｔ  Ｇｒｏｕｐ（ＳＩＧ）によって与えられる規格に従って、ＩＥＥＥ８０２．１５規格に従って、またはその両方で２．４ＧＨｚ周波数帯域内で通信し得る。セルラートランシーバは、任意の好適なセルラー通信規格に従って様々なＲＦ周波数帯域内で通信し得る。
【００２３】
[0037]図２は、例示的なワイヤレス局（ＳＴＡ）２００のブロック図を示す。いくつかの実装形態では、ＳＴＡ２００は、図１のワイヤレス局ＳＴＡ１〜ＳＴＡ４のうちの１つまたは複数の一例であり得る。ＳＴＡ２００は、ディスプレイ２０２と、入出力（Ｉ／Ｏ）構成要素２０４と、物理レイヤデバイス（ＰＨＹ）２１０と、ＭＡＣ２２０と、プロセッサ２３０と、メモリ２４０と、いくつかのアンテナ２５０（１）〜２５０（ｎ）とを含み得る。ディスプレイ２０２は、（閲覧すること、読むこと、または視聴することなどのために）項目がユーザに提示され得る任意の好適なディスプレイまたはスクリーンであり得る。いくつかの態様では、ディスプレイ２０２は、ＳＴＡ２００とのユーザ対話を可能にし、ユーザがＳＴＡ２００の１つまたは複数の動作を制御することを可能にする、タッチセンシティブディスプレイであり得る。Ｉ／Ｏ構成要素２０４は、ユーザから（コマンドなどの）入力を受信し、ユーザに出力を与えるための任意の好適な機構、インターフェース、またはデバイスであるかまたはそれを含み得る。たとえば、Ｉ／Ｏ構成要素２０４は、（限定はしないが）グラフィカルユーザインターフェース、キーボード、マウス、マイクロフォン、スピーカーなどを含み得る。
【００２４】
[0038]ＰＨＹ２１０は、少なくともいくつかのトランシーバ２１１とベースバンドプロセッサ２１２とを含み得る。トランシーバ２１１は、直接的にまたはアンテナ選択回路（簡単のために図示せず）を通してのいずれかで、アンテナ２５０（１）〜２５０（ｎ）に結合され得る。トランシーバ２１１は、ＡＰ１１０および他のＳＴＡ（図１も参照）に信号を送信し、それらから信号を受信するために使用され得、近くのアクセスポイントおよび（ＳＴＡ２００のワイヤレス範囲内などの）他のＳＴＡを検出および識別するために周囲環境を走査するために使用され得る。簡単のために図２には示されていないが、トランシーバ２１１は、信号を処理し、アンテナ２５０（１）〜２５０（ｎ）を介して他のワイヤレスデバイスに送信するための任意の数の送信チェーンを含み得、アンテナ２５０（１）〜２５０（ｎ）から受信された信号を処理するための任意の数の受信チェーンを含み得る。いくつかの実装形態では、ＳＴＡ２００は、ＭＩＭＯ動作のために構成され得る。ＭＩＭＯ動作は、ＳＵ−ＭＩＭＯ動作とＭＵ−ＭＩＭＯ動作とを含み得る。ＳＴＡ２００はまた、たとえば、ＩＥＥＥ８０２．１１ａｘ仕様によって与えられ得るような、ＯＦＤＭＡ通信および他の好適な複数のアクセス機構のために構成され得る。
【００２５】
[0039]ベースバンドプロセッサ２１２は、プロセッサ２３０またはメモリ２４０（またはその両方）から受信された信号を処理し、処理された信号を、アンテナ２５０（１）〜２５０（ｎ）のうちの１つまたは複数を介した送信のためにトランシーバ２１１に転送するために使用され得る。ベースバンドプロセッサ２１２はまた、トランシーバ２１１を介してアンテナ２５０（１）〜２５０（ｎ）のうちの１つまたは複数から受信された信号を処理し、処理された信号をプロセッサ２３０またはメモリ２４０（またはその両方）に転送するために使用され得る。
【００２６】
[0040]ＭＡＣ２２０は、少なくともいくつかの競合エンジン２２１とフレームフォーマッティング回路２２２とを含み得る。競合エンジン２２１は、共有ワイヤレス媒体へのアクセスを求めて競合し（または１つまたは複数のリソースユニットへのアクセスを求めて競合し）得、また、（１つまたは複数のリソースユニットを使用してなど）共有ワイヤレス媒体上での送信のためにパケットを記憶し得る。ＳＴＡ２００は、複数の異なるアクセスカテゴリーの各々のための１つまたは複数の競合エンジン２２１を含み得る。他の実装形態では、競合エンジン２２１は、ＭＡＣ２２０とは別個であり得る。さらに他の実装形態では、競合エンジン２２１は、プロセッサ２３０によって実行されたとき、競合エンジン２２１の機能を実施する命令を含んでいる（メモリ２４０に記憶された、または、ＭＡＣ２２０内に設けられたメモリに記憶されたなどの）１つまたは複数のソフトウェアモジュールとして実装され得る。
【００２７】
[0041]フレームフォーマッティング回路２２２は、（プロセッサ２３０によって与えられたＰＤＵにＭＡＣヘッダを追加することなどによって）プロセッサ２３０から受信されたフレームを作成およびフォーマットするために使用され得、（たとえば、ＰＨＹ２１０から受信されたフレームからＭＡＣヘッダを取ることなどによって）ＰＨＹ２１０から受信されたフレームを再フォーマットするために使用され得る。図２の例はプロセッサ２３０を介してメモリ２４０に結合されたＭＡＣ２２０を示しているが、他の実装形態では、ＰＨＹ２１０、ＭＡＣ２２０、プロセッサ２３０、およびメモリ２４０は、１つまたは複数のバス（簡単のために図示せず）を使用して接続され得る。
【００２８】
[0042]プロセッサ２３０は、ＳＴＡ２００に（メモリ２４０内になど）記憶された１つまたは複数のソフトウェアプログラムのスクリプトまたは命令を実行することが可能な任意の好適な１つまたは複数のプロセッサであり得る。いくつかの実装形態では、プロセッサ２３０は、プロセッサ機能を与える１つまたは複数のマイクロプロセッサと機械可読媒体の少なくとも一部分を与える外部メモリとであるかまたはそれを含み得る。他の実装形態では、プロセッサ２３０は、プロセッサをもつ特定用途向け集積回路（ＡＳＩＣ）と、バスインターフェースと、ユーザインターフェースと、単一のチップに組み込まれた機械可読媒体の少なくとも一部分とであるかまたはそれを含み得る。いくつかの他の実装形態では、プロセッサ２３０は、１つまたは複数のフィールドプログラマブルゲートアレイ（ＦＰＧＡ）またはプログラマブル論理デバイス（ＰＬＤ）であるかまたはそれを含み得る。
【００２９】
[0043]メモリ２４０は、ＳＴＡ２００のための、および（ＡＰおよび他のＳＴＡなどの）いくつかの他のワイヤレスデバイスのためのプロファイル情報を記憶するデバイスデータベース２４１を含み得る。ＳＴＡ２００のためのプロファイル情報は、たとえば、それのＭＡＣアドレス、ＳＴＡ２００が属する基本サービスセットの基本サービスセット識別情報（ＢＳＳＩＤ）、それの帯域幅能力、それのサポートされるチャネルアクセス機構、それのサポートされるデータレートなどを含み得る。特定のＡＰのためのプロファイル情報は、たとえば、ＡＰのＢＳＳＩＤ、ＭＡＣアドレス、チャネル情報、周波数ホッピングスケジュール、受信信号強度インジケータ（ＲＳＳＩ）値、グッドプット値、チャネル状態情報（ＣＳＩ）、サポートされるデータレート、ＳＴＡ２００との接続履歴、（ＡＰのロケーションに関する信頼性のレベルを示すなどの）ＡＰの信用性（trustworthiness）値、およびＡＰの動作に関係するかまたはそれについて説明する他の好適な情報を含み得る。
【００３０】
[0044]メモリ２４０はまた、周波数ホッピングデータベース２４２を含み得る。周波数ホッピングデータベース２４２は、１つまたは複数の周波数ホッピングパターン、（ＡＰによって与えられたなどの）周波数ホッピングスケジュール、（周波数ホッピングスケジュールに基づいて割り振られたなどの）リソースユニットの１つまたは複数のシーケンス、最大リソースユニット滞留時間、累積シーケンス期間滞留時間、またはＳＴＡ２００によって採用される周波数ホッピング技法に関係するかまたはそれについて説明する他の好適な情報を記憶し得る。
【００３１】
[0045]メモリ２４０はまた、少なくとも以下のソフトウェア（ＳＷ）モジュールを記憶し得る（ＥＰＲＯＭ、ＥＥＰＲＯＭ、フラッシュメモリ、ハードドライブなど、１つまたは複数の不揮発性メモリ要素などの）非一時的コンピュータ可読媒体を含み得る。
【００３２】
・  たとえば、図１０〜図１２の１つまたは複数の動作について以下で説明されるように、ＳＴＡ２００と他のワイヤレスデバイスとの間の（データフレーム、アクションフレーム、制御フレーム、および管理フレームなどの）任意の好適なフレームの作成および交換を可能にするためのフレームフォーマッティングおよび交換ソフトウェアモジュール２４３。
【００３３】
・  たとえば、図１０〜図１２の１つまたは複数の動作について以下で説明されるように、トリガフレームを受信し、トリガフレームがＳＴＡ２００にリソースユニット（ＲＵ）を割り振るかどうかを決定し、トリガフレームが周波数ホッピングスケジュールを示すかどうかを決定するためのトリガフレーム受信ソフトウェアモジュール２４４。
【００３４】
・  たとえば、図１０〜図１２の１つまたは複数の動作について以下で説明されるように、（もしあれば）どのＲＵがＳＴＡ２００に割り振られるかを決定し、ＳＴＡ２００のための周波数ホッピングスケジュールおよびＲＵシーケンスを復号するためのリソースユニットおよび周波数ホッピング復号ソフトウェアモジュール２４５。
各ソフトウェアモジュールは、プロセッサ２３０によって実行されたとき、ＳＴＡ２００に、対応する機能を実施させる命令を含む。したがって、メモリ２４０の非一時的コンピュータ可読媒体は、図１０〜図１２に関して以下で説明される動作の全部または一部分を実施するための命令を含む。
【００３５】
[0046]プロセッサ２３０は、ＳＴＡ２００と他のワイヤレスデバイスとの間の（データフレーム、アクションフレーム、制御フレーム、および管理フレームなどの）任意の好適なフレームの作成および交換を可能にするためのフレームフォーマッティングおよび交換ソフトウェアモジュール２４３を実行し得る。プロセッサは、トリガフレームを受信し、トリガフレームがＳＴＡ２００にリソースユニット（ＲＵ）を割り振るかどうかを決定し、トリガフレームが周波数ホッピングスケジュールを示すかどうかを決定するためのトリガフレーム受信ソフトウェアモジュール２４４を実行し得る。プロセッサは、（もしあれば）どのＲＵがＳＴＡ２００に割り振られるかを決定し、ＳＴＡ２００のための周波数ホッピングスケジュールおよびＲＵシーケンスを復号するためのリソースユニットおよび周波数ホッピング復号ソフトウェアモジュール２４５を実行し得る。
【００３６】
[0047]図３は、例示的なアクセスポイント（ＡＰ）３００のブロック図を示す。いくつかの実装形態では、ＡＰ３００は、図１のＡＰ１１０の一例であり得る。ＡＰ３００は、ＰＨＹ３１０と、ＭＡＣ３２０と、プロセッサ３３０と、メモリ３４０と、ネットワークインターフェース３５０と、いくつかのアンテナ３６０（１）〜３６０（ｎ）とを含み得る。ＰＨＹ３１０は、少なくともいくつかのトランシーバ３１１とベースバンドプロセッサ３１２とを含み得る。トランシーバ３１１は、直接的にまたはアンテナ選択回路（簡単のために図示せず）を通してのいずれかで、アンテナ３６０（１）〜３６０（ｎ）に結合され得る。トランシーバ３１１は、１つまたは複数のＳＴＡと、１つまたは複数の他のＡＰと、および他の好適なデバイスとワイヤレス通信するために使用され得る。簡単のために図３には示されていないが、トランシーバ３１１は、信号を処理し、アンテナ３６０（１）〜３６０（ｎ）を介して他のワイヤレスデバイスに送信するための任意の数の送信チェーンを含み得、アンテナ３６０（１）〜３６０（ｎ）から受信された信号を処理するための任意の数の受信チェーンを含み得る。いくつかの実装形態では、ＡＰ３００は、ＳＵ−ＭＩＭＯ動作およびＭＵ−ＭＩＭＯ動作などのＭＩＭＯ動作のために構成され得る。ＡＰ３００はまた、たとえば、ＩＥＥＥ８０２．１１ａｘ仕様によって与えられ得るような、ＯＦＤＭＡ通信および他の好適な複数のアクセス機構のために構成され得る。
【００３７】
[0048]ベースバンドプロセッサ３１２は、プロセッサ３３０またはメモリ３４０（またはその両方）から受信された信号を処理し、処理された信号を、アンテナ３６０（１）〜３６０（ｎ）のうちの１つまたは複数を介した送信のためにトランシーバ３１１に転送するために使用され得る。ベースバンドプロセッサ３１２はまた、トランシーバ３１１を介してアンテナ３６０（１）〜３６０（ｎ）のうちの１つまたは複数から受信された信号を処理し、処理された信号をプロセッサ３３０またはメモリ３４０（またはその両方）に転送するために使用され得る。
【００３８】
[0049]ネットワークインターフェース３５０は、直接または１つまたは複数の介在ネットワークを介してのいずれかでＷＬＡＮサーバ（簡単のために図示せず）と通信し、信号を送信するために使用され得る。
【００３９】
[0050]ＭＡＣ３２０は、少なくともいくつかの競合エンジン３２１とフレームフォーマッティング回路３２２とを含み得る。競合エンジン３２１は、共有ワイヤレス媒体へのアクセスを求めて競合し得、また、共有ワイヤレス媒体上での送信のためのパケットを記憶し得る。いくつかの実装形態では、ＡＰ３００は、複数の異なるアクセスカテゴリーの各々のための１つまたは複数の競合エンジン３２１を含み得る。他の実装形態では、競合エンジン３２１は、ＭＡＣ３２０とは別個であり得る。さらに他の実装形態では、競合エンジン３２１は、プロセッサ３３０によって実行されたとき、競合エンジン３２１の機能を実施する命令を含んでいる（メモリ３４０に、または、ＭＡＣ３２０内に設けられたメモリ内に記憶されたなどの）１つまたは複数のソフトウェアモジュールとして実装され得る。
【００４０】
[0051]フレームフォーマッティング回路３２２は、（プロセッサ３３０によって与えられたＰＤＵにＭＡＣヘッダを追加することなどによって）プロセッサ３３０から受信されたフレームを作成およびフォーマットするために使用され得、（たとえば、ＰＨＹ３１０から受信されたフレームからＭＡＣヘッダを取ることなどによって）ＰＨＹ３１０から受信されたフレームを再フォーマットするために使用され得る。図３の例はプロセッサ３３０を介してメモリ３４０に結合されたＭＡＣ３２０を示しているが、他の実装形態では、ＰＨＹ３１０、ＭＡＣ３２０、プロセッサ３３０、およびメモリ３４０は、１つまたは複数のバス（簡単のために図示せず）を使用して接続され得る。
【００４１】
[0052]プロセッサ３３０は、（メモリ３４０内になど）ＡＰ３００に記憶された１つまたは複数のソフトウェアプログラムのスクリプトまたは命令を実行することが可能な任意の好適な１つまたは複数のプロセッサであり得る。いくつかの実装形態では、プロセッサ３３０は、プロセッサ機能を与える１つまたは複数のマイクロプロセッサと機械可読媒体の少なくとも一部分を与える外部メモリとであるかまたはそれを含み得る。他の実装形態では、プロセッサ３３０は、プロセッサをもつ特定用途向け集積回路（ＡＳＩＣ）と、バスインターフェースと、ユーザインターフェースと、単一のチップに組み込まれた機械可読媒体の少なくとも一部分とであるかまたはそれを含み得る。いくつかの他の実装形態では、プロセッサ３３０は、１つまたは複数のフィールドプログラマブルゲートアレイ（ＦＰＧＡ）またはプログラマブル論理デバイス（ＰＬＤ）であるかまたはそれを含み得る。
【００４２】
[0053]メモリ３４０は、複数のＳＴＡのためのプロファイル情報を記憶するデバイスデータベース３４１を含み得る。特定のＳＴＡのためのプロファイル情報は、たとえば、それのＭＡＣアドレス、サポートされるデータレート、ＡＰ３００との接続履歴、ＳＴＡに割り振られた１つまたは複数のＲＵ、ＳＴＡの周波数ホッピングパターン、ＳＴＡに割り振られた１つまたは複数のＲＵシーケンス、およびＳＴＡの動作に関係するかまたはそれについて説明する他の好適な情報を含み得る。
【００４３】
[0054]メモリ３４０はまた、少なくとも以下のソフトウェア（ＳＷ）モジュールを記憶し得る（ＥＰＲＯＭ、ＥＥＰＲＯＭ、フラッシュメモリ、ハードドライブなど、１つまたは複数の不揮発性メモリ要素などの）非一時的コンピュータ可読媒体を含み得る。
【００４４】
・  たとえば、図１０〜図１２の１つまたは複数の動作について以下で説明されるように、ＡＰ３００と他のワイヤレスデバイスとの間の（データフレーム、アクションフレーム、制御フレーム、および管理フレームなどの）任意の好適なフレームの作成および交換を可能にするためのフレームフォーマッティングおよび交換ソフトウェアモジュール３４２。
【００４５】
・  たとえば、図１０〜図１２の１つまたは複数の動作について以下で説明されるように、いくつかのワイヤレスデバイスの各々のための一意の周波数ホッピングパターンを選択し、一意の周波数ホッピングパターンに基づいて周波数ホッピングスケジュールを決定するかまたは選択するための周波数ホッピングパターンおよびスケジューリングＳＷモジュール３４３。
【００４６】
・  たとえば、図１０〜図１２の１つまたは複数の動作について以下で説明されるように、（周波数ホッピングスケジュールまたは一意の周波数ホッピングパターンなどに基づいて）ワイヤレスデバイスにＲＵの一意のシーケンスを割り振るためのリソースユニット（ＲＵ）割振りソフトウェアモジュール３４４。
【００４７】
・  たとえば、図１０〜図１２の１つまたは複数の動作について以下で説明されるように、ワイヤレスデバイスに、周波数ホッピングパターンと、周波数ホッピングスケジュールと、ＲＵの一意のシーケンスの割振りとを告知するかまたは場合によっては示すための告知ソフトウェアモジュール３４５。
各ソフトウェアモジュールは、プロセッサ３３０によって実行されたとき、ＡＰ３００に、対応する機能を実施させる命令を含む。したがって、メモリ３４０の非一時的コンピュータ可読媒体は、図１０〜図１２に関して以下で説明される動作の全部または一部分を実施するための命令を含む。
【００４８】
[0055]プロセッサ３３０は、ＡＰ３００と他のワイヤレスデバイスとの間の（データフレーム、アクションフレーム、制御フレーム、および管理フレームなどの）任意の好適なフレームの作成および交換を可能にするためのフレームフォーマッティングおよび交換ソフトウェアモジュール３４２を実行し得る。プロセッサ３３０は、ワイヤレスデバイスに周波数ホッピングデバイスとしての資格を与え得るいくつかのワイヤレスデバイスの各々のための一意の周波数ホッピングパターンを選択し、一意の周波数ホッピングパターンに基づいて周波数ホッピングスケジュールを決定するかまたは選択するための周波数ホッピングパターンおよびスケジューリングＳＷモジュール３４３を実行し得る。プロセッサ３３０は、たとえば、ワイヤレスデバイスが周波数ホッピング技法を使用してＵＬ  ＯＦＤＭＡ通信を送信することを可能にするために、（周波数ホッピングスケジュールまたは一意の周波数ホッピングパターンなどに基づいて）ワイヤレスデバイスにＲＵの一意のシーケンスを割り振るためのリソースユニット割振りソフトウェアモジュール３４４を実行し得る。プロセッサ３３０は、ワイヤレスデバイスに、周波数ホッピングパターンと、周波数ホッピングスケジュールと、ＲＵの一意のシーケンスの割振りとを告知するかまたは場合によっては示すための告知ソフトウェアモジュール３４５を実行し得る。
【００４９】
[0056]上述のように、ＩＥＥＥ８０２．１１ａｘ仕様は、複数のＳＴＡが同時に共有ワイヤレス媒体上でデータを送信および受信することを可能にするために、直交周波数分割多元接続（ＯＦＤＭＡ）機構など、複数のアクセス機構を導入し得る。ＯＦＤＭＡを使用するワイヤレスネットワークの場合、利用可能な周波数スペクトルは、各々がいくつかの異なる周波数サブキャリアを含む複数のリソースユニット（ＲＵ）に分割され得、異なるＲＵは、所与の時点において（ＳＴＡなどの）異なるワイヤレスデバイスに割り振られるかまたは割り当てられ得る。このようにして、複数のワイヤレスデバイスは、それらの割り当てられたＲＵまたは周波数サブキャリアを使用して、ワイヤレス媒体上でデータをコンカレントに送信し得る。各ＲＵが、ワイヤレス媒体の全体的周波数スペクトルよりもはるかに小さい利用可能な周波数サブキャリアのサブセットを含み得るので、ＩＥＥＥ８０２．１１ａｘ仕様は、ワイヤレスデバイスが、（１次２０ＭＨｚチャネルおよび変動する帯域幅の１つまたは複数の２次チャネルと比較してなどの）２ＭＨｚ、４ＭＨｚ、８ＭＨｚ、および１６ＭＨｚのより小さいチャネル帯域幅を使用して互いにデータを送信することを可能にし得る。
【００５０】
[0057]図４は、狭帯域送信のために使用され得る８０ＭＨｚチャネルのための例示的なサブキャリア割振り図４００を示す。本明細書で使用される「狭帯域送信」という用語は、２０ＭＨｚ未満の周波数帯域幅を使用する送信を指し得る。図４に示されているワイヤレスチャネルはいくつかのリソースユニット（ＲＵ）に分割され得、ＲＵの各々はいくつかのサブキャリアを含み得る。たとえば、第１のサブキャリア割振り４１０は、各々が２６個のサブキャリアを含むいくつかのリソースユニットＲＵ１〜ＲＵ３７を含み得、第２のサブキャリア割振り４２０は、各々が５２個のサブキャリアを含むいくつかのリソースユニットＲＵ１〜ＲＵ１６を含み得、第３のサブキャリア割振り４３０は、各々が１０６個のサブキャリアを含むいくつかのリソースユニットＲＵ１〜ＲＵ８を含み得、第４のサブキャリア割振り４４０は、各々が２４２個のサブキャリアを含むいくつかのリソースユニットＲＵ１〜ＲＵ４を含み得、第５のサブキャリア割振り４５０は、各々が４８４個のサブキャリアを含むいくつかのリソースユニットＲＵ１〜ＲＵ２を含み得、第６のサブキャリア割振り４６０は、９９６個のサブキャリアを含む１つのＲＵ（チャネルの左半分がシングルユーザ（ＳＵ）動作のためのものである）を含み得る。図４に示されている例示的なサブキャリア割振り４１０、４２０、４３０、４４０、４５０、および４６０の各々について、隣接するＲＵは、たとえば、隣接するＲＵ間の漏れを低減するために、（ＤＣサブキャリアなどの）ヌルサブキャリアによって分離され得る。例示的なサブキャリア割振り図４００中の数２６、５２、１０６、２４２、４８４、および９９６は、対応するサブキャリア割振りのためのリソースユニットの各々中の周波数サブキャリアの数を表すことに留意されたい。
【００５１】
[0058]ＡＰが、トリガフレームを使用していくつかのワイヤレスデバイスに固有または専用ＲＵを割り振り得る。いくつかの実装形態では、トリガフレームは、ＡＰに関連付けられたいくつかのＳＴＡを識別し得、それらの割り振られたＲＵを使用して、識別されたＳＴＡからのアップリンク（ＵＬ）マルチユーザ（ＭＵ）データ送信を送信請求し得る。トリガフレームは、どのＳＴＡがトリガフレームに応答してＡＰにＵＬデータを送信するべきであるかを識別するために、ＡＰによってそれの関連付けられたＳＴＡに割り当てられた関連付け識別情報（ＡＩＤ）値を使用し得る。いくつかの態様では、トリガフレームは、トリガフレーム中で識別されたＳＴＡの各々によって使用されるべきＵＬ送信のためのＲＵサイズおよびロケーション、変調およびコーディング方式（ＭＣＳ）、ならびに電力レベルを示し得る。本明細書で使用されるＲＵサイズはＲＵの帯域幅を示し得、ＲＵロケーションは、どの周波数サブキャリアがＲＵに割り振られるかを示し得る。
【００５２】
[0059]図５は、アップリンク（ＵＬ）送信のためのリソースユニット（ＲＵ）の例示的な割振りを示すシーケンス図５００を示す。図５のＡＰは、たとえば、図１のＡＰ１１０または図３のＡＰ３００を含む、任意の好適なＡＰであり得る。ワイヤレス局ＳＴＡ１〜ＳＴＡｎの各々は、たとえば、図１の局ＳＴＡ１〜ＳＴＡ４または図２のＳＴＡ２００を含む任意の好適なワイヤレス局であり得る。いくつかの実装形態では、ＡＰは、（時間ｔ1とｔ2との間などの）バックオフ期間またはポイント協調機能（ＰＣＦ：point coordination function）フレーム間スペース（ＰＩＦＳ：PCF interframe space）持続時間中に媒体アクセスを求めて競合し得る。他の実装形態では、ＡＰは、別の好適なチャネルアクセス機構を使用して媒体アクセスを求めて競合し得る。いくつかの他の実装形態では、ＡＰは、たとえば、複数チャネルアクセス機構を利用し得、媒体アクセスを求めて競合しないことがある。
【００５３】
[0060]ＡＰは、時間ｔ2においてワイヤレス媒体へのアクセスを獲得し、ダウンリンク（ＤＬ）チャネル上で局ＳＴＡ１〜ＳＴＡｎにトリガフレーム５０２を送信し得る。時間ｔ2は、送信機会（ＴＸＯＰ）５０８の始まりを示し得る。トリガフレーム５０２は、トリガフレーム５０２によって識別されたいくつかの局ＳＴＡ１〜ＳＴＡｎの各々に専用ＲＵを割り振り得、識別された局ＳＴＡ１〜ＳＴＡｎからのＵＬ  ＭＵデータ送信を送信請求し得る。いくつかの態様では、たとえば、トリガフレーム５０２によって割り振られた専用ＲＵは一意であり得、したがって、局ＳＴＡ１〜ＳＴＡｎは、同時に（または実質的に同じ時間に）ＡＰにＵＬデータを送信し得る。
【００５４】
[0061]局ＳＴＡ１〜ＳＴＡｎは、時間ｔ3（または約時間ｔ3）において、トリガフレーム５０２を受信し得る。識別された局ＳＴＡ１〜ＳＴＡｎの各々は、トリガフレーム５０２によって割り振られた専用ＲＵのサイズおよびロケーションを決定するために、トリガフレーム５０２を復号し得る。いくつかの態様では、トリガフレーム５０２は、たとえば、図５の例に示されているように、トリガフレーム５０２の受信の後に、指定されていないフレーム間隔（ｘＩＦＳ）持続時間において開始するように、識別された局ＳＴＡ１〜ＳＴＡｎからのＵＬデータ送信をスケジュールし得る。
【００５５】
[0062]時間ｔ4において、識別された局ＳＴＡ１〜ＳＴＡｎは、それらのそれぞれの専用ＲＵ上でＵＬ  ＭＵデータ５０４を送信し始め得る。いくつかの態様では、識別された局ＳＴＡ１〜ＳＴＡｎの各々は、それの割り振られたＲＵに関連付けられた周波数帯域が、ＡＰにＵＬ  ＭＵデータを送信するより前の（ＰＩＦＳ持続時間などの）持続時間の間アイドルであったかどうかを決定し得る。
【００５６】
[0063]ＡＰは、時間ｔ5において、識別された局ＳＴＡ１〜ＳＴＡｎからＵＬ  ＭＵデータ５０４を受信し得、時間ｔ6において、局ＳＴＡ１〜ＳＴＡｎにマルチ局ブロック確認応答（Ｍ−ＢＡ）フレーム５０６を送信することによって、ＵＬ  ＭＵデータ５０４の受信に肯定応答し得る。いくつかの態様では、ＡＰは、局ＳＴＡ１〜ＳＴＡｎからＵＬ  ＭＵデータ５０４を受信した後に、短いフレーム間隔（ＳＩＦＳ）持続時間Ｍ−ＢＡフレーム５０６を送信し得る。他の実装形態では、ＡＰは、別の好適な持続時間の後にＭ−ＢＡフレーム５０６を送信し得る。
【００５７】
[0064]比較的狭い帯域幅を使用してデータを送信するワイヤレスデバイスは、比較的広い帯域幅を使用してデータを送信するワイヤレスデバイスよりも短い範囲を有し得る。いくつかの態様では、狭帯域通信は、（利得がすべての周波数について比較的一定であるような）チャネルの周波数応答が比較的平坦である周波数範囲を指し得、広帯域通信は、（周波数応答が平坦でないような）狭帯域通信よりも大きい周波数範囲を指し得る。広帯域ワイヤレス媒体が、一般に、１次チャネルと１つまたは複数の２次チャネルとに分割される。１次および２次チャネルは様々な帯域幅のものであり得、４０ＭＨｚチャネル、８０ＭＨｚチャネル、または１６０ＭＨｚチャネルを形成するためにいくつかの２０ＭＨｚチャネルを互いに接合することによって形成され得る。いくつかの態様では、８０ＭＨｚ周波数スペクトルは、１次２０ＭＨｚチャネルと、２次２０ＭＨｚチャネルと、２次４０ＭＨｚチャネルとに分割され得る。他の態様では、８０ＭＨｚ周波数スペクトルは、１次４０ＭＨｚチャネルと２次４０ＭＨｚチャネルとに分割され得る。
【００５８】
[0065]８０ＭＨｚ周波数スペクトルを利用するＯＦＤＭＡベースワイヤレスネットワークにおいて動作するＡＰが、ＵＬ送信のためにワイヤレスデバイスに２０ＭＨｚ未満のＲＵを割り振り得る。いくつかの態様では、ＡＰは、ＵＬ送信のためにワイヤレスデバイスに、２ＭＨｚ、４ＭＨｚ、８ＭＨｚ、および１６ＭＨｚなどのサイズを有する比較的小さいＲＵを割り振り得る。政府規制によって課される電力スペクトル密度限界が一般に電力対周波数帯域幅の関数として表されるので、所与のＲＵのための送信電力限界は一般にＲＵのサイズに比例する。より詳細には、政府規制は、一般に、ワイヤレスデバイスが、（２ＭＨｚ幅などの）比較的小さいＲＵ上でワイヤレス信号を送信することよりも、（２０ＭＨｚ幅などの）比較的大きいＲＵ上でワイヤレス信号を送信するために高い電力レベルを使用することを可能にする。
【００５９】
[0066]いくつかの実装形態では、ワイヤレスデバイスが、利用可能なサブキャリアの総数（Ｎtot）を有する８０ＭＨｚチャネルを利用するワイヤレスネットワークにおいてある数（ＮRU）のサブキャリアを有するＲＵを割り振られた場合、（割り振られたＲＵと比較して）より小さいＲＵを使用してデータを送信するときのワイヤレスデバイスのパワースペクトル密度（ＰＳＤ）利得（ＧPSD）は、ＧPSD＝１０ｌｏｇ１０（Ｎtot／ＮRU）として表され得る。たとえば、２ＭＨｚ  ＲＵを使用する送信のためのワイヤレスデバイスのＰＳＤ利得は、ＧPSD＝１０ｌｏｇ１０（３７）＝１５．６ｄＢとして表され得る。１５．６ｄＢのＰＳＤ利得は、ＥＴＳＩによってＷｉ−Ｆｉデバイスに課される１１ｄＢｍ／ＭＨｚ  ＰＳＤ限界を超えるので、ワイヤレスデバイスは、Ｗｉ−Ｆｉデバイスに対するＥＴＳＩのＰＳＤ限界に準拠するためにそれの送信電力レベルを低減する必要があることがあり、それは、ワイヤレスデバイスの範囲を望ましくなく減少させ得る。
【００６０】
[0067]本開示の態様によれば、ワイヤレスデバイスは、周波数ホッピングデバイスとしての資格を得るためにＯＦＤＭＡ送信のための周波数ホッピング技法を採用し得る。周波数ホッピングデバイスは、所与の送信帯域幅のためにＷｉ−Ｆｉデバイスよりも高い送信電力レベルを与えられるので、周波数ホッピングデバイスとしての資格を得ることができることは、Ｗｉ−Ｆｉデバイスが、周波数ホッピング技法を使用せずに可能であるだろうよりも高い電力レベルにおいてＯＦＤＭＡ通信を送信することを可能にし得る。いくつかの実装形態では、ＡＰは、たとえば、いくつかの選択されたワイヤレスデバイスの各々のための一意の周波数ホッピングパターンを選択し得、したがって、選択されたワイヤレスデバイスの各々は、周波数ホッピングデバイスとしての資格を得ることができる。ＡＰは、様々な一意の周波数ホッピングパターンを組み合わせて周波数ホッピングスケジュールにし、周波数ホッピングスケジュールに従って、選択されたワイヤレスデバイスにＲＵを割り振り得る。いくつかの態様では、ＡＰは、選択されたワイヤレスデバイスの各々のためのあらかじめ定義された周波数ホッピングパターンを選択し得る。他の態様では、ＡＰは、選択されたワイヤレスデバイスの各々のためのプロプライエタリ周波数ホッピングパターンを選択し得る。
【００６１】
[0068]ＡＰは、任意の好適な様式で、選択されたワイヤレスデバイスに周波数ホッピングスケジュールおよび割り振られたＲＵを告知し得る。いくつかの態様では、ＡＰは、１つまたは複数のトリガフレーム中で、選択されたワイヤレスデバイスに周波数ホッピングスケジュールおよび割り振られたＲＵを告知し得る。他の態様では、ＡＰは、ビーコンフレーム中で、選択されたワイヤレスデバイスに周波数ホッピングスケジュールを告知し得、１つまたは複数のトリガフレーム中で、選択されたワイヤレスデバイスに、周波数ホッピングスケジュールに基づいてＲＵを割り振り得る。さらに他の態様では、ＡＰは、任意の好適なブロードキャストまたはマルチキャストフレームまたはパケットを使用して、選択されたワイヤレスデバイスに周波数ホッピングスケジュールを告知し得る。
【００６２】
[0069]ワイヤレスデバイスの各々に（Ｗｉ−Ｆｉデバイスとしてではなく）周波数ホッピングデバイスとしての資格を与えることによって、本開示の態様は、ワイヤレスデバイスが、ＯＦＤＭＡ送信に課されるＰＳＤ限界よりも大きい電力レベルにおいてワイヤレス信号を送信することを可能にし得、それは、ワイヤレスデバイスの範囲を増加させることができる。たとえば、欧州において動作するワイヤレスデバイスに周波数ホッピングデバイスとしての資格を与えることによって、ワイヤレスデバイスは、（２ＭＨｚチャネル上でのＯＦＤＭＡ送信に対する１４ｄＢｍのＥＴＳＩの限界などと比較して）２０ｄＢｍまでの電力レベルを使用して２ＭＨｚ  ＲＵ上でＯＦＤＭＡ通信を送信し得る。
【００６３】
[0070]ＡＰは、たとえば、それの地理的ロケーションに基づいて周波数ホッピングパターンを選択するかまたは動的に調整し得、したがって、ＡＰおよび選択されたワイヤレスデバイスは、周波数ホッピングデバイスのための適用可能な電力スペクトル密度限界に準拠することができる。一例では、日本は、ワイヤレスデバイスが、１５個以上のチャネルにわたってホッピングし、チャネルの各々において４００ミリ秒（ｍｓ）未満である滞留時間を有する場合、ワイヤレスデバイスが２．４ＧＨｚ帯域中の周波数ホッピングデバイスであると見なす。別の例では、欧州は、ワイヤレスデバイスが、１５個以上のチャネルにわたってホッピングし、各チャネルにおける累積滞留時間が、周波数ホッピング持続時間にわたって１５ｍｓ未満である場合、ワイヤレスデバイスが２．４ＧＨｚ帯域中の周波数ホッピングデバイスであると見なす。
【００６４】
[0071]いくつかの実装形態では、ＡＰは、少なくとも１５個の連続送信のために同じワイヤレスデバイスに同じ周波数サブキャリアを割り当てない、一意の周波数ホッピングパターンを選択し得る。より詳細には、ＡＰは、たとえば、欧州および日本においてワイヤレスデバイスに周波数ホッピングデバイスとしての資格を与えるために、ワイヤレスデバイスの各々が、少なくとも１５個の異なるＲＵ（またはチャネル）にわたってホッピングするように、周波数ホッピングスケジュールを決定し、それのワイヤレスデバイスにＲＵの一意のシーケンスを割り振り得る。いくつかの態様では、ＡＰは、たとえば、日本において周波数ホッピングデバイスとしての資格を得るために、各ワイヤレスデバイスが、所与のＲＵ上でデータを送信することに４００ｍｓ未満を費やすことを保証するように、周波数ホッピングパターンを選択し得る。他の態様では、ＡＰは、たとえば、欧州において周波数ホッピングデバイスとしての資格を得るために、割り振られたＲＵの各々におけるワイヤレスデバイスのための累積滞留時間が、周波数ホッピングシーケンスにわたって１５ｍｓ未満であることを保証するように、周波数ホッピングパターンを選択し得る。
【００６５】
[0072]図６Ａは、周波数ホッピングに基づくリソースユニット（ＲＵ）の例示的な割振りを示すシーケンス図６００Ａを示す。本明細書では説明の目的で、図６Ａは、アクセスポイント（ＡＰ）が、いくつかの関連付けられたワイヤレス局ＳＴＡ１〜ＳＴＡ４にＲＵを割り振ることを示す。ＡＰは、たとえば、図１のＡＰ１１０または図３のＡＰ３００を含む任意の好適なＡＰであり得る。局ＳＴＡ１〜ＳＴＡ４の各々は、たとえば、図１の局ＳＴＡ１〜ＳＴＡ４または図２のＳＴＡ２００を含む任意の好適なワイヤレス局であり得る。
【００６６】
[0073]ＡＰは、それの関連付けられた局ＳＴＡ１〜ＳＴＡ４の各々のための一意の周波数ホッピングパターンを選択し得、選択された周波数ホッピングパターンに基づいてＵＬ送信のための周波数ホッピングスケジュールを決定し得る。いくつかの態様では、ＡＰによって選択された周波数ホッピングパターンは、ＡＰの地理的ロケーションに基づき得る。他の態様では、ＡＰによって選択された周波数ホッピングパターンはまた、利用可能な周波数スペクトル、利用可能なＲＵの数、およびＲＵの各々のためのサブキャリアの数に依存し得る。
【００６７】
[0074]いくつかの実装形態では、ＡＰは、（時間ｔ1とｔ2の間などの）バックオフ期間またはＰＩＦＳ持続時間中に媒体アクセスを求めて競合し得る。他の実装形態では、ＡＰは、別の好適なチャネルアクセス機構を使用して媒体アクセスを求めて競合し得る。いくつかの他の実装形態では、ＡＰは、たとえば、複数チャネルアクセス機構を利用し得、媒体アクセスを求めて競合しないことがある。
【００６８】
[0075]ＡＰは、第１のＴＸＯＰ６０１の始まりであり得る、時間ｔ2においてワイヤレス媒体へのアクセスを獲得する。ＡＰは、ＤＬチャネル上で局ＳＴＡ１〜ＳＴＡ４にトリガフレーム６１０を送信し得る。いくつかの実装形態では、トリガフレーム６１０は、局ＳＴＡ１〜ＳＴＡ４に周波数ホッピングスケジュールを告知し得、ＡＰによって選択された周波数ホッピングパターンに基づいて局ＳＴＡ１〜ＳＴＡ４の各々にＲＵの一意のシーケンスを割り振り得る。いくつかの態様では、トリガフレーム６１０は、割り振られたＲＵを使用するＵＬ送信のための局ＳＴＡ１〜ＳＴＡ４の各々によって使用されるべきＲＵサイズおよびロケーション、ＭＣＳ、ならびに電力レベルを示し得る。
【００６９】
[0076]図６Ａに示されているように、トリガフレーム６１０は、局ＳＴＡ１〜ＳＴＡ４の各々がシーケンス期間中に周波数ホッピングのために使用すべきであるＲＵの一意のシーケンスを割り振る。シーケンス期間は、周波数ホッピングデバイスとしての資格を得るために、ワイヤレスデバイスがその間でホッピングしなければならない異なるＲＵの数を含むかまたはそれによって定義され得る。たとえば、政府規制が、１５個の異なるチャネルにわたってホッピングするデバイスとして周波数ホッピングデバイスを定義するところにＡＰが位置する場合、シーケンス期間は、局ＳＴＡ１〜ＳＴＡ４が１５個の異なるＲＵ間でホッピングする時間期間に対応し得る。
【００７０】
[0077]いくつかの実装形態では、トリガフレーム６１０は、ＲＵの割振りが周波数ホッピングスケジュールに基づくことを示し得、ＡＰが、それの関連付けられたデバイスに、ＵＬ  ＯＦＤＭＡ送信のために周波数ホッピング技法を採用するように命令していることを示し得る。いくつかの態様では、図６Ａの局ＳＴＡ１〜ＳＴＡ４に割り振られたＲＵは、異なるサイズのものであり得る。たとえば、比較的少量のＵＬデータを有する局は、（２ＭＨｚなどの）比較的小さいＲＵを割り振られ得、比較的大量のＵＬデータを有する局は、（４ＭＨｚ、８ＭＨｚ、または１６ＭＨｚなどの）比較的大きいＲＵを割り振られ得る。
【００７１】
[0078]局ＳＴＡ１〜ＳＴＡ４は、時間ｔ3（または約時間ｔ3）において、トリガフレーム６１０を受信し得る。トリガフレーム６１０を受信すると、局ＳＴＡ１〜ＳＴＡ４の各々は、周波数ホッピングスケジュールを抽出し得、ＡＰによって割り振られたＲＵのそれの一意のシーケンスを決定し得る。いくつかの態様では、周波数ホッピングスケジュールは、局ＳＴＡ１〜ＳＴＡ４の各々に、（ＡＰが日本にあるとき、ＲＵ当たり４００ｍｓよりも少ない間など）割り振られたＲＵの各々上での持続時間よりも少なく滞留するように命令し得る。他の態様では、周波数ホッピングスケジュールは、（ＡＰが欧州で動作するときなど、）局ＳＴＡ１〜ＳＴＡ４の各々に、累積滞留時間がシーケンス期間にわたって１５ｍｓ未満であるように命令し得る。
【００７２】
[0079]時間ｔ4において、局ＳＴＡ１〜ＳＴＡ４の各々は、それの一意のＲＵ上でＵＬ  ＭＵデータ６１２を送信し始め得る。図６Ａの例の場合、第１の局ＳＴＡ１は、リソースユニットＲＵ１上でＵＬ  ＭＵデータ６１２を送信し、第２の局ＳＴＡ２は、リソースユニットＲＵ１６上でＵＬ  ＭＵデータ６１２を送信し、第３の局ＳＴＡ３は、リソースユニットＲＵ２１上でＵＬ  ＭＵデータ６１２を送信し、第４の局ＳＴＡ４は、リソースユニットＲＵ２６上でＵＬ  ＭＵデータ６１２を送信する。このようにして、局ＳＴＡ１〜ＳＴＡ４の各々は、異なるＲＵを使用して同時に（または実質的に同じ時間に）ＡＰにＵＬ  ＭＵデータを送信し得る。
【００７３】
[0080]トリガフレーム６１０は、トリガフレーム６１０の受信の後に、指定されていないフレーム間隔（ｘＩＦＳ）持続時間において開始するために、局ＳＴＡ１〜ＳＴＡ４からのＵＬデータ送信を送信請求し得る。いくつかの態様では、トリガフレーム６１０は、局ＳＴＡ１〜ＳＴＡ４がＵＬ  ＭＵデータを送信するより前にチャネルを検知すべきであるかどうかを示すチャネル検知（ＣＳ）ビットを含み得る。一例では、ＣＳビットがアサートされた場合、局ＳＴＡ１〜ＳＴＡ４の各々は、それの割り振られたＲＵの周波数帯域が、ＡＰにＵＬ  ＭＵデータを送信するより前に（ＰＩＦＳ持続時間などの）持続時間の間アイドルであったかどうかを決定し得る。別の例では、ＣＳビットがアサートされない場合、局ＳＴＡ１〜ＳＴＡ４は、ｘＩＦＳ持続時間の満了時にＵＬ送信を開始し得る。
【００７４】
[0081]ＡＰは、時間ｔ5において、局ＳＴＡ１〜ＳＴＡ４からＵＬ  ＭＵデータ６１２を受信し得、時間ｔ6において、局ＳＴＡ１〜ＳＴＡ４にマルチ局ブロック確認応答（Ｍ−ＢＡ）フレーム６１６を送信することによって、ＵＬ  ＭＵデータ６１２の受信に肯定応答し得る。いくつかの態様では、ＡＰは、局ＳＴＡ１〜ＳＴＡ４からＵＬ  ＭＵデータを受信した後に、短いフレーム間隔（ＳＩＦＳ）持続時間Ｍ−ＢＡフレーム６１６を送信し得る。他の実装形態では、ＡＰは、別の好適な持続時間の後にＭ−ＢＡフレーム６１６を送信し得る。局ＳＴＡ１〜ＳＴＡ４は、時間ｔ7においてＭ−ＢＡフレーム６１６を受信し、それは、第１のＴＸＯＰ６０１の終了をシグナリングし得る。
【００７５】
[0082]持続時間の後に、ＡＰは、局ＳＴＡ１〜ＳＴＡ４に第２のトリガフレーム６２０を送信し得る。第２のＴＸＯＰ６０２の始まりをシグナリングし得る、第２のトリガフレーム６２０は、それらの割り振られたＲＵ上で局ＳＴＡ１〜ＳＴＡ４からのＵＬ送信を送信請求し得る。図６Ａの例の場合、第１の局ＳＴＡ１は、リソースユニットＲＵ２上でＵＬ  ＭＵデータ６２２を送信し、第２の局ＳＴＡ２は、リソースユニットＲＵ１７上でＵＬ  ＭＵデータ６２２を送信し、第３の局ＳＴＡ３は、リソースユニットＲＵ２２上でＵＬ  ＭＵデータ６２２を送信し、第４の局ＳＴＡ４は、リソースユニットＲＵ２７上でＵＬ  ＭＵデータ６２２を送信する。第１のトリガフレーム６１０は、局ＳＴＡ１〜ＳＴＡ４に周波数ホッピングスケジュールをすでに通知し、シーケンス期間について局ＳＴＡ１〜ＳＴＡ４の各々にＲＵの一意のシーケンスをすでに割り振ったので、第２のトリガフレーム６２０は、（第２のトリガフレーム６２０のサイズおよび送信持続時間を最小限に抑えるためになど、）周波数ホッピングスケジュールを含んでいないことがあり、局ＳＴＡ１〜ＳＴＡ４にＲＵを割り振らないことがある。
【００７６】
[0083]ＡＰは、局ＳＴＡ１〜ＳＴＡ４に第２のＭ−ＢＡフレーム６２６を送信することによって、ＵＬ  ＭＵデータ６２２の受信に肯定応答し得る。局ＳＴＡ１〜ＳＴＡ４による第２のＭ−ＢＡフレーム６２６の受信は、第２のＴＸＯＰ６０２の終了をシグナリングし得る。局ＳＴＡ１〜ＳＴＡ４は、たとえば、（１）所与のＴＸＯＰ中に局ＳＴＡ１〜ＳＴＡ４の各々が異なるＲＵを割り振られ、（２）局ＳＴＡ１〜ＳＴＡ４の各々が、（１５個のＴＸＯＰなどの）所与のシーケンス期間中に同じＲＵ上でＵＬデータを送信しないように、このようにして、ＡＰにＵＬ  ＭＵデータを送信することを継続し得る。
【００７７】
[0084]図６Ｂは、周波数ホッピングに基づくリソースユニット（ＲＵ）の別の例示的な割振りを示すシーケンス図６００Ｂを示す。図６Ｂのシーケンス図６００Ｂは、周波数ホッピングスケジュールを告知し、シーケンス期間全体のためのＲＵの一意のシーケンスを割り振るトリガフレームを送信する代わりに、ＡＰが、時間ｔ２において、対応するＴＸＯＰ６０１のために局ＳＴＡ１〜ＳＴＡ４にＲＵを割り振る、トリガフレーム６１１を送信することを除いて、図６Ａのシーケンス図６００Ａと同様である。局ＳＴＡ１〜ＳＴＡ４の各々は、トリガフレーム６１１を受信し、それの割り振られたＲＵを識別し、次いで、それの割り振られたＲＵを使用してＡＰにＵＬ  ＭＵデータを送信する。第１のＴＸＯＰ６０１が終了した後に、ＡＰは、第２のＴＸＯＰ６０２のために局ＳＴＡ１〜ＳＴＡ４にＲＵを割り振る、第２のトリガフレーム６２１を送信する。局ＳＴＡ１〜ＳＴＡ４の各々は、第２のトリガフレーム６２１を受信し、それの割り振られたＲＵを識別し、次いで、それの割り振られたＲＵを使用してＡＰにＵＬ  ＭＵデータを送信する。局ＳＴＡ１〜ＳＴＡ４は、たとえば、（１）各ＴＸＯＰの始まりにおいて、ＡＰが、局ＳＴＡ１〜ＳＴＡ４に一意のＲＵを割り振るために、トリガフレームを送信し、（２）局ＳＴＡ１〜ＳＴＡ４の各々が、（１５個のＴＸＯＰなどの）所与のシーケンス期間中に同じＲＵ上でＵＬデータを送信しないように、このようにして、ＡＰにＵＬ  ＭＵデータを送信することを継続し得る。
【００７８】
[0085]図７Ａは、ＯＦＤＭＡ送信中に周波数ホッピングのために使用され得るＲＵの例示的なシーケンスを示す図７００を示す。本明細書で説明される目的で、図７００に示されている一意のＲＵシーケンス７０１〜７０４が、ＵＬデータを送信するために図６Ａおよび図６Ｂのそれぞれの局ＳＴＡ１〜ＳＴＡ４によって使用され得る。一意のＲＵシーケンス７０１〜７０４は、他のワイヤレスデバイスによってＯＦＤＭＡ送信中に周波数ホッピングデバイスとしての資格を得るために使用され得、図６Ａおよび図６Ｂの局ＳＴＡ１〜ＳＴＡ４は、ＯＦＤＭＡ送信中に周波数ホッピングデバイスとしての資格を得るためにＲＵの他の好適なシーケンスを使用し得ることを理解されたい。
【００７９】
[0086]一意のＲＵシーケンス７０１〜７０４の各々は、局ＳＴＡ１〜ＳＴＡ４の各々によってシーケンス期間７１０中にＯＦＤＭＡ通信を使用してＵＬデータを送信するために使用され得る１５個の異なるＲＵを含むように示されている。一意のＲＵシーケンス７０１〜７０４は、同じＲＵのいくつかを含み得るが、一意のＲＵシーケンス７０１〜７０４の各々は、所与のＲＵの１つのインスタンスのみを含み、同じＲＵは、同時に一意のＲＵシーケンス７０１〜７０４のうちの２つ以上に割り振られない。
【００８０】
[0087]いくつかの実装形態では、一意のＲＵシーケンス７０１〜７０４内のＲＵは、各々、周波数ホッピングデバイスのために指定されたチャネル滞留時間に等しい（または実質的に等しい）持続時間について、対応する局に割り振られ得る。たとえば、ＡＰが日本にあるとき、一意のＲＵシーケンス７０１〜７０４のうちの所与の１つ内のＲＵの各々は、４００ｍｓ以下について、対応する局に割り振られ得る。他の実装形態では、各ＲＵにおける累積滞留時間は、シーケンス期間７１０の持続時間にわたる量未満である。たとえば、ＡＰが欧州にあるとき、各ＲＵにおける累積滞留時間は、シーケンス期間７１０の持続時間にわたって１５ｍｓ未満である。
【００８１】
[0088]さらに、または代替として、一意のＲＵシーケンス７０１〜７０４のうちの所与の１つ内のＲＵの各々は、ＴＸＯＰに対応し得る。図７Ａの例の場合、第１の局ＳＴＡ１は、第１のＴＸＯＰ中にＲＵ１を使用してＵＬデータを送信し得、第２のＴＸＯＰ中にＲＵ２を使用してＵＬデータを送信し得、第３のＴＸＯＰ中にＲＵ３を使用してＵＬデータを送信し得、以下同様であり、次いで、第１５のＴＸＯＰ中にＲＵ１５を使用してＵＬデータを送信し得る。第２の局ＳＴＡ２は、第１のＴＸＯＰ中にＲＵ１６を使用してＵＬデータを送信し得、第２のＴＸＯＰ中にＲＵ１７を使用してＵＬデータを送信し得、第３のＴＸＯＰ中にＲＵ１８を使用してＵＬデータを送信し得、以下同様であり、次いで、第１５のＴＸＯＰ中にＲＵ１０を使用してＵＬデータを送信し得る。第３の局ＳＴＡ３は、第１のＴＸＯＰ中にＲＵ２１を使用してＵＬデータを送信し得、第２のＴＸＯＰ中にＲＵ２２を使用してＵＬデータを送信し得、第３のＴＸＯＰ中にＲＵ２３を使用してＵＬデータを送信し得、以下同様であり、次いで、第１５のＴＸＯＰ中にＲＵ５を使用してＵＬデータを送信し得る。第４の局ＳＴＡ４は、第１のＴＸＯＰ中にＲＵ２６を使用してＵＬデータを送信し得、第２のＴＸＯＰ中にＲＵ２７を使用してＵＬデータを送信し得、第３のＴＸＯＰ中にＲＵ２８を使用してＵＬデータを送信し得、以下同様であり、次いで、第１５のＴＸＯＰ中にＲＵ２０を使用してＵＬデータを送信し得る。
【００８２】
[0089]ＯＦＤＭＡ送信中に周波数ホッピングするために一意のＲＵシーケンス７０１〜７０４を使用することによって、局ＳＴＡ１〜ＳＴＡ４の各々は、周波数ホッピングデバイスとしての資格を得、したがって、周波数ホッピングデバイスに課される送信電力レベルを使用し得る。多くの政府規制は、周波数ホッピングデバイスのために、ＯＦＤＭＡ通信を使用するワイヤレスデバイスのためのものよりも高い送信電力レベルを可能にするので、周波数ホッピングデバイスとして資格を得ることができることは、局ＳＴＡ１〜ＳＴＡ４が、ＰＳＤ限界に違反することなしにそれらの送信電力レベルを増加させることを可能にし得る。たとえば、局ＳＴＡ１〜ＳＴＡ４が欧州にあるワイヤレスネットワークにおいて動作する場合、周波数ホッピングデバイスとしての資格を得ることができることは、局ＳＴＡ１〜ＳＴＡ４が、（ＯＦＤＭＡ送信を使用するワイヤレスデバイスなどに課される）約１４ｄＢｍから（周波数ホッピングデバイスなどに課される）約２０ｄＢｍにそれらの送信電力レベルを増加させることを可能にし得る。このようにして、本開示の態様は、電力スペクトル密度限界に違反することなしに局ＳＴＡ１〜ＳＴＡ４のワイヤレス範囲を増加させ得る。
【００８３】
[0090]図７Ｂは、図７Ａの一意のＲＵシーケンス７０１の例示的な構成を示す例示的なテーブル７２０を示す。一意のＲＵシーケンス７０１の例示的な構成は、８０ＭＨｚ  Ｗｉ−Ｆｉネットワークのコンテキストにおいて以下で説明される。一意のＲＵシーケンス７０１の例示的な構成、またはそれの派生物がまた、（４０ＭＨｚ帯域幅などの）他の周波数帯域幅を利用するワイヤレスネットワークに適用可能であり得ることを理解されたい。
【００８４】
[0091]また図４を参照すると、ＩＥＥＥ８０２．１１ａｘ仕様は、８０ＭＨｚチャネルが３７個の２ＭＨｚ  ＲＵを含むことを指定し得る。いくつかの実装形態では、ＡＰは、（図７ＢにおいてＲＵ１〜ＲＵ３７として示されている）３７個のＲＵの各々に「０」の初期カウント値を割り当て得る。「０」のカウント値を有するＲＵは、次のＴＸＯＰ中でのＵＬ  ＯＦＤＭＡ送信のためのＡＰの関連付けられたデバイスのうちの１つへの割振りのために利用可能であり得る。
【００８５】
[0092]ＡＰがＵＬ  ＯＦＤＭＡ送信のためにワイヤレスデバイスにＲＵを最初に割り振るとき、ＡＰは、ＲＵのカウント値を「１５」の最大カウント値にリセットし得る。各後続のＴＸＯＰについて、ＡＰは、「０」のカウント値を有するＲＵのうちの１つを選択し得、ワイヤレスデバイスに前に割り振られたすべてのＲＵのカウント値を「１」の値だけ減分し得る。ワイヤレスデバイスに一意のＲＵを割り振るこのプロセスは、ワイヤレスデバイスが（ワイヤレスデバイスのためのシーケンス期間に対応し得る）少なくとも１５個の異なるＲＵ上でＵＬ  ＭＵデータを送信するまで継続し得る。同様のプロセスが、トリガフレームによってＵＬ送信のために識別されたワイヤレスデバイスの各々について実施され得る。このようにして、ＡＰは、それのワイヤレスデバイスのいずれも、少なくとも１５個のＴＸＯＰのために同じＲＵ上でＵＬデータを送信しないことを保証し得る。
【００８６】
[0093]いくつかの態様では、最大カウント値は、ワイヤレスデバイスが周波数ホッピングデバイスとしての資格を得ることができる連続チャネルホップの数に基づき得る。したがって、日本および欧州などのロケーションでは、ＵＬ  ＯＦＤＭＡ送信のためのワイヤレスデバイスにＲＵが最初に割り振られるとき、たとえば、日本と欧州の両方は、ワイヤレスデバイスが所与のシーケンス期間内の１５個の異なるチャネル（またはＲＵ）間でホッピングすることに少なくとも部分的に基づいて、ワイヤレスデバイスが周波数ホッピングデバイスであると見なすので、ＡＰは、それのカウント値を「１５」の最大カウント値にリセットし得る。他のロケーションの場合、最大カウント値は、たとえば、ワイヤレスデバイスに周波数ホッピングデバイスとしての資格を与えるために、適用可能な政府規制に応じて別の好適な数に設定され得る。
【００８７】
[0094]図７Ｂの例の場合、ＡＰは、第１のＴＸＯＰ中にＳＴＡ１にＲＵ１を割り振り、ＲＵ１のカウント値を１５にリセットする。第２のＴＸＯＰの場合、ＡＰは、ＳＴＡ１にＲＵ２を割り振り、ＲＵ２のカウント値を１５にリセットし、ＲＵ１のカウント値を１４に減分する。第３のＴＸＯＰの場合、ＡＰは、ＳＴＡ１にＲＵ３を割り振り、ＲＵ３のカウント値を１５にリセットし、ＲＵ２のカウント値を１４に減分し、ＲＵ１のカウント値を１３に減分する。第４のＴＸＯＰの場合、ＡＰは、ＳＴＡ１にＲＵ４を割り振り、ＲＵ４のカウント値を１５にリセットし、ＲＵ３のカウント値を１４に減分し、ＲＵ２のカウント値を１３に減分し、ＲＵ１のカウント値を１２に減分する。このプロセスは、たとえば、１５個のＲＵにわたるシーケンス期間中に、ＡＰがＳＴＡ１に１５個の異なるＲＵを割り振るまで継続し得る。したがって、第１５のＴＸＯＰの場合、ＡＰは、図７Ｂのテーブル７２０に示されているように、たとえば、ＳＴＡ１にＲＵ１５を割り振り、それのカウント値を１５にリセットし、前に割り振られたリソースユニットＲＵ１〜ＲＵ１４のカウント値の各々を１だけ減分し得る。
【００８８】
[0095]ＡＰは、たとえば、同じＲＵが所与のＴＸＯＰにおいて２つ以上のワイヤレスデバイスによって使用されるのを防ぐ様式でＲＵの割振りをスタッガすることによって、同様の様式で他のワイヤレスデバイスのための一意のＲＵシーケンスを構成し得る。たとえば、ＡＰは、図７Ａのそれぞれの局ＳＴＡ２〜ＳＴＡ４のための一意のＲＵシーケンス７０２〜７０４を構成するために例示的なテーブル７２０を使用し得る。
【００８９】
[0096]他の実装形態では、ＡＰは、前に使用されたＲＵがワイヤレスデバイスへの割振りのためにいつ再び利用可能になり得るかを決定するために（正数ではなく）負数を使用し得る。たとえば、ＡＰがＴＸＯＰ中にワイヤレスデバイスにＲＵを割り振るとき、ＡＰは、ＲＵのカウント値を「−１５」の最小重み値（またはワイヤレスデバイスが周波数ホッピングデバイスとしての資格を得るための連続チャネルホップの数に基づく他の数）にリセットし得る。次いで、ＡＰは、各後続のＴＸＯＰ中に、前に割り振られたＲＵのためのカウント値を「１」だけ増分し（より大きい正数などにし）得る。所与のＲＵのためのカウント値が「０」のそれの初期カウント値に増分されたとき、所与のＲＵは、ＵＬ  ＯＦＤＭＡ送信のために、それのワイヤレスデバイスの１つにＡＰによってもう一度割り振られ得る。
【００９０】
[0097]図８は、例示的なトリガフレーム８００を示す。トリガフレーム８００は、図６Ａのトリガフレーム６１０としてまたは図６Ｂのトリガフレーム６２０として使用され得る。トリガフレーム８００は、フレーム制御フィールド８０１と、持続時間フィールド８０２と、受信機アドレス（ＲＡ）フィールド８０３と、送信機アドレス（ＴＡ）フィールド８０４と、共通情報フィールド８０５と、いくつかのユーザごと情報フィールド８０６（１）〜８０６（ｎ）と、フレーム検査シーケンス（ＦＣＳ）フィールド８０７とを含むように示されている。
【００９１】
[0098]フレーム制御フィールド８０１は、タイプフィールド８０１Ａとサブタイプフィールド８０１Ｂとを含む。タイプフィールド８０１Ａは、トリガフレーム８００が制御フレームであることを示すための値を記憶し得、サブタイプフィールド８０１Ｂは、トリガフレーム８００のタイプを示す値を記憶し得る。持続時間フィールド８０２は、トリガフレーム８００の持続時間または長さを示す情報を記憶し得る。ＲＡフィールド８０３は、（図６Ａおよび図６Ｂのワイヤレス局ＳＴＡ１〜ＳＴＡ４のうちの１つなどの）受信デバイスのアドレスを記憶し得る。ＴＡフィールド８０４は、（図６Ａおよび図６ＢのＡＰなどの）送信デバイスのアドレスを記憶し得る。共通情報フィールド８０５は、１つまたは複数の受信デバイスに共通の情報を記憶し得る。ユーザごと情報フィールド８０６（１）〜８０６（ｎ）の各々は、図９Ｂに関して以下でより詳細に説明されるように、特定の受信デバイスのための情報を記憶し得る。ＦＣＳフィールド８０７は、（誤り検出などのための）フレーム検査シーケンスを記憶し得る。いくつかの実装形態では、共通情報フィールド８０５は、周波数ホッピングスケジュールを記憶し得る。他の実装形態では、周波数ホッピングスケジュールは、トリガフレーム８００内に含まれるかまたはそれに付加される情報要素（ＩＥ）またはベンダー固有情報要素（ＶＳＩＥ：vendor-specific information element）（ＩＥおよびＶＳＩＥは簡単のために図示せず）に記憶され得る。いくつかの他の実装形態では、周波数ホッピングスケジュールは、トリガフレーム８００に付加されるパケット拡張（パケット拡張は簡単のために図示せず）に記憶され得る。
【００９２】
[0099]図９Ａは、例示的な共通情報フィールド９００を示す。共通情報フィールド９００は、図８のトリガフレーム８００の共通情報フィールド８０５の一実装形態であり得る。共通情報フィールド９００は、長さサブフィールド９０１と、カスケード指示サブフィールド９０２と、高効率シグナリングＡ（ＨＥ−ＳＩＧ−Ａ）情報サブフィールド９０３と、サイクリックプレフィックス（ＣＰ）およびレガシートレーニングフィールド（ＬＴＦ）タイプサブフィールド９０４と、トリガタイプサブフィールド９０５と、トリガ依存共通情報サブフィールド９０６とを含むように示されている。長さサブフィールド９０１は、トリガフレーム８００に応答して送信されるべきＵＬデータフレームのレガシーシグナリングフィールドの長さを示し得る。カスケード指示サブフィールド９０２は、後続のトリガフレームが現在のトリガフレームに続くかどうかを示し得る。たとえば、図６Ｂのトリガフレーム６１１のカスケード指示サブフィールド９０２は、トリガフレーム６２１がトリガフレーム６１１に続くことになることを示し得る。
【００９３】
[00100]ＨＥ−ＳＩＧ−Ａ情報サブフィールド９０３は、トリガフレーム８００に応答して送信されるべきＵＬデータフレームのＨＥ−ＳＩＧ−Ａフィールドのコンテンツを示し得る。ＣＰおよびＬＴＦタイプサブフィールド９０４は、トリガフレーム６００に応答して送信されるべきＵＬデータフレームのサイクリックプレフィックスおよびＨＥ−ＬＴＦタイプを示し得る。トリガタイプサブフィールド９０５はトリガフレームのタイプを示し得る。トリガ依存共通情報サブフィールド９０６はトリガ依存情報を示し得る。いくつかの態様では、トリガ依存共通情報サブフィールド９０６は、周波数ホッピングスケジュールを記憶し得る。
【００９４】
[00101]図９Ｂは、例示的なユーザごと情報フィールド９１０を示す。ユーザごと情報フィールド９１０は、図８のトリガフレーム８００のユーザごと情報フィールド８０６（１）〜８０６（ｎ）の一実装形態であり得る。ユーザごと情報フィールド９１０は、ユーザ識別子サブフィールド９１１と、ＲＵ割振りサブフィールド９１２と、コーディングタイプサブフィールド９１３と、ＭＣＳサブフィールド９１４と、デュアルキャリア変調（ＤＣＭ）サブフィールド９１５と、空間ストリーム（ＳＳ）割振りサブフィールド９１６と、トリガ依存ユーザごと情報サブフィールド９１７とを含むように示されている。ユーザ識別子サブフィールド９１１は、専用ＲＵがＵＬ  ＭＵデータを送信するために割り振られたＳＴＡの関連付け識別情報（ＡＩＤ）を示し得る。ＲＵ割振りサブフィールド９１２は、（ユーザ識別子サブフィールド９１１によって識別されたＳＴＡなどの）対応するＳＴＡに割り振られた専用ＲＵを識別し得る。コーディングタイプサブフィールド９１３は、割り振られたＲＵを使用してＵＬデータを送信するときに、対応するＳＴＡによって使用されるべきコーディングのタイプを示し得る。ＭＣＳサブフィールド９１４は、割り振られたＲＵを使用してＵＬデータを送信するときに、対応するＳＴＡによって使用されるべきＭＣＳを示し得る。ＤＣＭサブフィールド９１５は、割り振られたＲＵを使用してＵＬデータを送信するときに、対応するＳＴＡによって使用されるべきデュアルキャリア変調を示し得る。ＳＳ割振りサブフィールド９１６は、割り振られたＲＵを使用してＵＬデータを送信するときに、対応するＳＴＡによって使用されるべき空間ストリームの数を示し得る。
【００９５】
[00102]トリガ依存ユーザごと情報サブフィールド９１７は、トリガフレームのタイプに依存する、ユーザ識別子サブフィールド９１１によって識別されたＳＴＡのための情報を記憶し得る。たとえば、トリガフレームがマルチユーザブロック確認応答要求（ＭＵ−ＢＡＲ）フレームである場合、トリガ依存ユーザごと情報サブフィールド９１７は、ＢＡＲ制御パラメータおよびＢＡＲ情報を記憶し得る。いくつかの態様では、トリガ依存ユーザごと情報サブフィールド９１７は、対応するＳＴＡのための周波数ホッピングパターンを記憶し得る。
【００９６】
[00103]図１０は、ワイヤレスデバイスに周波数ホッピングデバイスとしての資格を与えるための例示的な動作１０００を示す例示的なフローチャートを示す。例示的な動作１０００は、ＡＰがワイヤレスデバイスにリソースユニットを割り振るコンテキストにおいて以下で説明されるが、任意の好適なワイヤレスデバイスが図１０の動作１０００を実施し得ることを理解されたい。いくつかの実装形態では、ワイヤレスデバイスは、図１の局ＳＴＡ１〜ＳＴＡ４または図２のＳＴＡ２００のうちの１つの一例であり得、ＡＰは、図１のＡＰ１１０または図３のＡＰ３００の一例であり得る。
【００９７】
[00104]ＡＰは、ワイヤレスデバイスのための周波数ホッピングパターンを決定する（１００２）。いくつかの実装形態では、周波数ホッピングパターンは、周波数ホッピングデバイスとして見なされるための資格を示す政府規制に基づき得る。いくつかの態様では、周波数ホッピングパターンは、ワイヤレスデバイスが時間期間中に１５個以上の一意の周波数帯域間でホッピングするべきであることを示し得る。周波数ホッピングパターンは、一意の周波数帯域の各々上での最大滞留時間を示し得るかまたは一意の周波数帯域における累積滞留時間が周波数ホッピングシーケンスの持続時間よりも大きい時間期間以下であるべきであることをも示し得る。
【００９８】
[00105]ＡＰは、ワイヤレスデバイスに周波数ホッピングパターンを告知する（１００４）。いくつかの実装形態では、ＡＰは、ビーコンフレーム中で周波数ホッピングパターンを告知し得る。ビーコンフレームはまた、ＡＰに関連付けられたいくつかのワイヤレスデバイスのための周波数ホッピングスケジュールを含み得る。いくつかの態様では、周波数ホッピングスケジュールは、ＡＰに関連付けられたいくつかのワイヤレスデバイスの周波数ホッピングパターンを含むかまたはそれによって形成され得る。他の実装形態では、ＡＰは、トリガフレーム中で周波数ホッピングパターンを告知し得る。トリガフレームはまた、ＡＰに関連付けられた複数のワイヤレスデバイスのための周波数ホッピングスケジュールを含み得る。
【００９９】
[00106]ＡＰは、周波数ホッピングパターンに基づいてワイヤレスデバイスに一意のリソースユニットのシーケンスを割り振る（１００６）。一意のリソースユニットの各々は、たとえば、周波数サブキャリアの異なるセットを含み、したがって、複数のワイヤレスデバイスは同時にアップリンクデータを送信することができる。いくつかの態様では、一意のリソースユニットの各々は、一連の送信機会（ＴＸＯＰ）の対応する１つに関連付けられ得る。
【０１００】
[00107]いくつかの実装形態では、トリガフレームは、ワイヤレスデバイスに一意のリソースユニットのシーケンスを割り振る（１００６Ａ）。トリガフレームは、ワイヤレスデバイスが、一意のリソースユニットの指定された数よりも多くの間で連続的に周波数ホッピングするべきであるという指示を含んでいることがある。さらに、または代替として、トリガフレームは、ワイヤレスデバイスが、持続時間未満の間、一意のリソースユニットの各々上に滞留するべきであるという指示と、一意のリソースユニットにおける累積滞留時間が、一意のリソースユニットのシーケンスの持続時間よりも大きい時間期間以下であるべきであるという指示とのうちの１つを含んでいることがある。いくつかの態様では、滞留時間は４００ミリ秒であり、時間期間は１５ミリ秒であり、シーケンスは少なくとも１５個の一意のリソースユニットを含む。
【０１０１】
[00108]他の実装形態では、各トリガフレームは、たとえば、図６Ｂに関して上記で説明されたように、対応するＴＸＯＰのためにワイヤレスデバイスにリソースユニットを割り振り得る。
【０１０２】
[00109]ＡＰは、ワイヤレスデバイスから、シーケンス期間中に、一意のリソースユニットの割り振られたシーケンス上での一連のアップリンク直交周波数分割多元接続（ＯＦＤＭＡ）送信を受信する（１００８）。ワイヤレスデバイスが、周波数ホッピングデバイスに従う様式でＡＰに一連のＯＦＤＭＡ送信を送りながら、異なるリソースユニット間で切り替わるかまたは「ホッピング」するので、ワイヤレスデバイスは、周波数ホッピングデバイスとしての資格を得、周波数ホッピングデバイスに関連付けられたより高い電力レベルにおいて信号を送信し得る。このようにして、本開示の態様は、ワイヤレスデバイスの範囲を増加させ得る。
【０１０３】
[00110]図１１は、ワイヤレスデバイスにリソースユニットを割り振るための例示的な動作１１００を示す例示的なフローチャートを示す。例示的な動作１１００は、ＡＰがワイヤレスデバイスにリソースユニットを割り振るコンテキストにおいて以下で説明されるが、任意の好適なワイヤレスデバイスが図１１の動作１１００を実施し得ることを理解されたい。いくつかの実装形態では、ワイヤレスデバイスは、図１の局ＳＴＡ１〜ＳＴＡ４または図２のＳＴＡ２００の一例であり得、ＡＰは、図１のＡＰ１１０または図３のＡＰ３００の一例であり得る。
【０１０４】
[00111]ＡＰは、複数のリソースユニットの各々に、０に等しいカウント値を割り当てる（１１０２）。たとえば、また図７Ｂを参照すると、ＡＰは、「０」のリソースユニットＲＵ１〜ＲＵ３７の各々に初期カウント値を割り当て得る。「０」のカウント値を有するリソースユニット（ＲＵ）は、次のＴＸＯＰ中でのＵＬ  ＯＦＤＭＡ送信のためのＡＰの関連付けられたデバイスのうちの１つへの割振りのために利用可能であり得る。
【０１０５】
[00112]ＡＰは、第１の送信機会（ＴＸＯＰ）のためにワイヤレスデバイスに複数のリソースユニットの第１のリソースユニットを割り振り（１１０４）、次いで、第１のリソースユニットのカウント値を、ワイヤレスデバイスへのそれの割振りに基づいて、最大値にリセットする（１１０６）。いくつかの実装形態では、たとえば、日本と欧州の両方は、ワイヤレスデバイスが所与のシーケンス期間内の１５個の異なるチャネル（またはＲＵ）間でホッピングすることに少なくとも部分的に基づいて、ワイヤレスデバイスが周波数ホッピングデバイスであると見なすので、最大カウント値は「１５」であり得る。
【０１０６】
[00113]ＡＰは、次のＴＸＯＰ中に第１のリソースユニットのカウント値を１だけ減分する（１１０８）。最大カウント値が「１５」である実装形態では、ＡＰは、第１のリソースユニットのカウント値を１だけ減分し、「１４」にし得る。このプロセスは、第１のリソースユニットのカウント値がその後０に戻る、少なくとも１５個の異なるＲＵ上でワイヤレスデバイスがＵＬ  ＭＵデータを送信するまで継続し得る。その後、ＡＰは、ワイヤレスデバイスに第１のリソースユニットを再び割り振り得る。
【０１０７】
[00114]図１２は、周波数ホッピングスケジュールに基づいて割り振られたリソースユニットを使用してデータを送信するワイヤレス局のための例示的な動作１２００を示す例示的なフローチャートを示す。いくつかの実装形態では、ワイヤレス局は、図１の局ＳＴＡ１〜ＳＴＡ４または図２のＳＴＡ２００のうちの１つの一例であり得る。
【０１０８】
[00115]ワイヤレス局は、周波数ホッピングパターンを受信し（１２０２）、周波数ホッピングパターンに基づいて一意のリソースユニットのシーケンスの割振りを受信し、一意のリソースユニットの各々は周波数サブキャリアの異なるセットを含む（１２０４）。周波数ホッピングパターンは、ワイヤレス局が周波数ホッピングデバイスとして見なされるための資格を示す政府規制に基づき得る。いくつかの態様では、周波数ホッピングパターンは、ワイヤレス局が時間期間中に１５個以上の一意の周波数帯域間でホッピングするべきであることを示し得る。周波数ホッピングパターンは、一意の周波数帯域の各々上での最大滞留時間を示し得るかまたは一意の周波数帯域における累積滞留時間が周波数ホッピングシーケンスの持続時間よりも大きい時間期間以下であるべきであることをも示し得る。
【０１０９】
[00116]いくつかの実装形態では、ワイヤレス局は、アクセスポイント（ＡＰ）から、ワイヤレス局に一意のリソースユニットのシーケンスを割り振り、ワイヤレス局が、指定された数を超える数の一意のリソースユニット間で連続的に周波数ホッピングするべきであることを示す、トリガフレームを受信し得る。いくつかの態様では、トリガフレームはまた、周波数ホッピングパターンを含み得る。他の態様では、周波数ホッピングパターンは、ビーコンフレーム中でブロードキャストされ得る。
【０１１０】
[00117]さらに、または代替として、トリガフレームは、ワイヤレス局が、持続時間未満の間、一意のリソースユニットの各々上に滞留するべきであるという指示と、一意のリソースユニットにおける累積滞留時間が、一意のリソースユニットのシーケンスの持続時間よりも大きい時間期間以下であるべきであるという指示とのうちの１つを含んでいることがある。いくつかの態様では、滞留時間は４００ミリ秒であり、時間期間は１５ミリ秒であり、シーケンスは少なくとも１５個の一意のリソースユニットを含む。
【０１１１】
[00118]ワイヤレス局は、シーケンス期間中に、一意のリソースユニットの割り振られたシーケンス上での一連の直交周波数分割多元接続（ＯＦＤＭＡ）データ送信を送信する（１２０６）。一意のリソースユニットの各々は、たとえば、周波数サブキャリアの異なるセットを含み得、したがって、複数のワイヤレス局は同時にアップリンクデータを送信することができる。いくつかの態様では、一意のリソースユニットの各々は、一連の送信機会（ＴＸＯＰ）の対応する１つに関連付けられ得る。ワイヤレス局が、周波数ホッピングデバイスに従う様式で（ＡＰなどに）一連のＯＦＤＭＡデータ送信を送りながら、異なるリソースユニット間で切り替わるかまたは「ホッピング」するので、ワイヤレス局は、周波数ホッピングデバイスとしての資格を得、周波数ホッピングデバイスに関連するより高い電力レベルにおいて信号を送信し得る。このようにして、本開示の態様は、ワイヤレス局の範囲を増加させ得る。
【０１１２】
[00119]明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１１３】
[00120]本明細書で開示された実装形態に関して説明された様々な例示的な論理、論理ブロック、モジュール、回路、およびアルゴリズムプロセスは、電子ハードウェア、コンピュータソフトウェア、または両方の組合せとして実装され得る。ハードウェアとソフトウェアの互換性が、概して機能に関して説明され、上記で説明された様々な例示的な構成要素、ブロック、モジュール、回路およびプロセスにおいて示された。そのような機能がハードウェアで実装されるか、ソフトウェアで実装されるかは、特定の適用例および全体的なシステムに課される設計制約に依存する。
【０１１４】
[00121]本明細書で開示された態様に関して説明された様々な例示的な論理、論理ブロック、モジュール、および回路を実装するために使用される、ハードウェアおよびデータ処理装置は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサは、マイクロプロセッサ、あるいは任意の従来のプロセッサ、コントローラ、マイクロコントローラ、または状態機械であり得る。プロセッサはまた、たとえば、ＤＳＰとマイクロプロセッサとの組合せ、複数のマイクロプロセッサ、ＤＳＰコアと連携する１つまたは複数のマイクロプロセッサ、または任意の他のそのような構成などの、コンピューティングデバイスの組合せとして実装され得る。いくつかの実装形態では、特定のプロセスおよび方法は、所与の機能に固有である回路によって実施され得る。
【０１１５】
[00122]１つまたは複数の態様では、説明された機能は、本明細書で開示された構造を含むハードウェア、デジタル電子回路、コンピュータソフトウェア、ファームウェア、およびそれらの上記構造の構造的等価物において、またはそれらの任意の組合せにおいて実装され得る。また、本明細書で説明された主題の実装形態は、１つまたは複数のコンピュータプログラムとして、すなわち、データ処理装置が実行するためにコンピュータ記憶媒体上に符号化された、またはデータ処理装置の動作を制御するための、コンピュータプログラム命令の１つまたは複数のモジュールとして、実装され得る。
【０１１６】
[00123]ソフトウェアで実装される場合、機能は、１つまたは複数の命令またはコードとして、コンピュータ可読媒体上に記憶されるか、またはコンピュータ可読媒体を介して送信され得る。本明細書で開示された方法またはアルゴリズムのプロセスは、コンピュータ可読媒体上に存在し得るプロセッサ実行可能ソフトウェアモジュールで実装され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータによってアクセスされ得る、任意の他の媒体を含み得る。また、いかなる接続もコンピュータ可読媒体と適切に呼ばれ得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれるべきである。さらに、方法またはアルゴリズムの動作は、コンピュータプログラム製品に組み込まれ得る、機械可読媒体およびコンピュータ可読媒体上のコードおよび命令の１つまたは任意の組合せ、あるいはそのセットとして存在し得る。
【０１１７】
[00124]本開示で説明された実装形態への様々な修正は当業者には容易に明らかであり得、本明細書で定義された一般原理は、本開示の趣旨または範囲から逸脱することなく他の実装形態に適用され得る。したがって、特許請求の範囲は、本明細書で示された実装形態に限定されるものではなく、本開示と、本明細書で開示された原理および新規の特徴とに一致する、最も広い範囲を与られるべきである。
【図１】
2019516303.tif 000003
【図２】
2019516303.tif 000004
【図３】
2019516303.tif 000005
【図４】
2019516303.tif 000006
【図５】
2019516303.tif 000007
【図６Ａ】
2019516303.tif 000008
【図６Ｂ】
2019516303.tif 000009
【図７Ａ】
2019516303.tif 000010
【図７Ｂ】
2019516303.tif 000011
【図８】
2019516303.tif 000012
【図９Ａ】
2019516303.tif 000013
【図９Ｂ】
2019516303.tif 000014
【図１０】
2019516303.tif 000015
【図１１】
2019516303.tif 000016
【図１２】
2019516303.tif 000017
【国際調査報告】
2019516303.tif 000018
2019516303.tif 000019